(57)【要約】  共有RFスペクトル帯域におけるサウンディング基準信号(SRS)送信が、2つ以上のアップリンクコンポーネントキャリア(CC)を使用して、共有RFスペクトル帯域のみによって送信されてもよく、あるいは共有RFスペクトル帯域を専用RFスペクトル帯域と連携させて送信されてもよい。UEが、2つ以上のCCが、同じタイミングアドバンスグループ(TAG)に含まれることを確認し、同じアップリンクシンボルの間にSRS送信および物理アップリンク共有チャネル(PUSCH)送信または物理アップリンク制御チャネル(PUCCH)送信を送信してもよい。UEは、SRS送信シンボルの間電力の制限を受ける場合に最小設定電力に基づいてSRSを送信してもよい。共有RFスペクトル帯域においてSRS送信を行うCCに割り当てられるチャネル優先順位は、専用RFスペクトル帯域を使用する同様の送信用のチャネル優先順位よりも高いチャネル優先順位に設定されてもよい。
2019500789.tif 000002
【特許請求の範囲】
【請求項１】
ユーザ機器(UE)におけるワイヤレス通信のための方法であって、
ワイヤレス通信ネットワークにおいて2つ以上のアップリンクコンポーネントキャリア(CC)を使用するワイヤレス通信を確立するステップであって、前記2つ以上のアップリンクCCのうちの少なくとも1つが、共有無線周波数(RF)スペクトル帯域を使用する、ステップと、
前記2つ以上のアップリンクCCの各々が同じタイミングアドバンスグループ(TAG)に含まれるように構成されることを確認するステップと、
サウンディング基準信号(SRS)が前記2つ以上のアップリンクCCのうちの第1のアップリンクCCを使用して第1のシンボルにおいて送信されるべきであることを確認するステップと、
物理アップリンク共有チャネル(PUSCH)送信または物理アップリンク制御チャネル(PUCCH)送信のうちの1つまたは複数が前記2つ以上のアップリンクCCのうちの第2のアップリンクCCを使用して前記第1のシンボルにおいて送信されるべきであると判定するステップと、
前記第1のアップリンクCCを使用する前記SRSおよび前記第2のアップリンクCCを使用する前記PUSCHまたはPUCCHのうちの1つまたは複数を前記第1のシンボルにおいて送信するステップと
を含む方法。
【請求項２】
前記送信するステップは、
前記2つ以上のアップリンクCCを使用する前記第1のシンボルの間の送信が電力の制限を受けないと判定するステップ
をさらに含む、請求項1に記載の方法。
【請求項３】
前記送信するステップは、
前記2つ以上のアップリンクCCを使用する前記第1のシンボルの間の送信が電力の制限を受けると判定するステップと、
前記SRSの前記送信を破棄するステップと
をさらに含む、請求項1に記載の方法。
【請求項４】
前記送信するステップは、
前記2つ以上のアップリンクCCを使用する前記第1のシンボルの間の前記送信が電力の制限を受けると判定するステップと、
前記第1のアップリンクCCの送信向けに設定された最小電力レベルに少なくとも部分的に基づいて前記SRSを送信するステップと
をさらに含む、請求項1に記載の方法。
【請求項５】
前記第1のアップリンクCCは前記共有RFスペクトル帯域の一部である、請求項1に記載の方法。
【請求項６】
前記第1のアップリンクCCは前記共有RFスペクトル帯域の一部ではない、請求項1に記載の方法。
【請求項７】
前記送信するステップは、
前記SRSを無線フレームの通常のアップリンクサブフレームの間に送信するステップ
をさらに含む、請求項1に記載の方法。
【請求項８】
前記送信するステップは、
前記SRSを無線フレームの特殊サブフレームの間に送信するステップ
をさらに含む、請求項1に記載の方法。
【請求項９】
前記送信するステップは、
2つ以上のSRSシンボルを前記特殊サブフレームのアップリンクパイロットタイムスロット(UpPTS)の間に送信するステップ
をさらに含む、請求項8に記載の方法。
【請求項１０】
前記送信するステップは、
専用RFスペクトル帯域を介してCCを使用して前記SRSを送信するためのチャネル優先順位とは異なるチャネル優先順位を使用し、前記共有RFスペクトル帯域を介して前記第1のアップリンクCCを使用して前記SRSを送信するステップ
をさらに含む、請求項1に記載の方法。
【請求項１１】
前記送信するステップは、
前記SRSを前記第1のシンボルの周波数帯域幅にわたるようにフォーマッティングするステップ
をさらに含む、請求項1に記載の方法。
【請求項１２】
前記フォーマッティングするステップは、前記周波数帯域幅のパワースペクトル密度限界に少なくとも部分的に基づく、請求項11に記載の方法。
【請求項１３】
前記2つ以上のアップリンクCCは、送信時間間隔(TTI)の間のアップリンク送信用に割り振られたアップリンクCCの第1のセットを含み、前記送信するステップは、
前記アップリンクCCの前記第1のセットを使用して前記PUCCH送信またはPUSCH送信のうちの1つまたは複数を送信するステップと、
前記アップリンクCCの前記第1のセットには含まれない異なるアップリンクCCを使用して前記SRSを送信するステップと
をさらに含む、請求項1に記載の方法。
【請求項１４】
前記異なるアップリンクCCは、ダウンリンクCCの第2のセットに関連するCCであり、前記アップリンクCCの前記第1のセットは、前記ダウンリンクCCの前記第2のセットよりも少ないCCを含む、請求項13に記載の方法。
【請求項１５】
前記第1のアップリンクCCと前記第2のアップリンクCCは異なるCCである、請求項1に記載の方法。
【請求項１６】
基地局におけるワイヤレス通信のための方法であって、
ワイヤレス通信ネットワークにおいて2つ以上のアップリンクコンポーネントキャリア(CC)を使用するユーザ機器(UE)におけるワイヤレス通信を構成するステップであって、前記2つ以上のアップリンクCCのうちの少なくとも1つが、共有無線周波数(RF)スペクトル帯域を使用する、ステップと、
前記2つ以上のアップリンクCCの各々を同じタイミングアドバンスグループ(TAG)に含まれるように構成するステップと、
前記2つ以上のアップリンクCCのうちの第2のアップリンクCCを使用して前記第1のシンボルの間に送信されるべき物理アップリンク共有チャネル(PUSCH)送信または物理アップリンク制御チャネル(PUCCH)送信のうちの1つまたは複数と同時に、サウンディング基準信号(SRS)が前記2つ以上のアップリンクCCのうちの第1のアップリンクCCを使用して第1のシンボルにおいて送信されるように構成するステップと
を含む方法。
【請求項１７】
前記2つ以上のアップリンクCCを使用する前記第1のシンボルの間の送信が電力の制限を受けるときに使用すべき最小送信電力レベルに少なくとも部分的に基づいて送信されるように前記SRSを構成するステップをさらに含む、請求項16に記載の方法。
【請求項１８】
前記第1のアップリンクCCは前記共有RFスペクトル帯域の一部である、請求項16に記載の方法。
【請求項１９】
前記第1のアップリンクCCは前記共有RFスペクトル帯域の一部ではない、請求項16に記載の方法。
【請求項２０】
前記SRSを送信されるように構成する前記ステップは、
前記SRSを無線フレームの通常のアップリンクサブフレームの間に送信されるように構成するステップ
をさらに含む、請求項16に記載の方法。
【請求項２１】
前記SRSを送信されるように構成するステップは、
前記SRSを無線フレームの特殊サブフレームの間に送信されるように構成するステップ
をさらに含む、請求項16に記載の方法。
【請求項２２】
前記構成するステップは、
1つまたは複数のSRSシンボルを前記特殊サブフレームのアップリンクパイロットタイムスロット(UpPTS)の間に送信されるように構成するステップ
をさらに含む、請求項21に記載の方法。
【請求項２３】
前記SRSを送信されるように構成するステップは、
専用RFスペクトル帯域を介して送信されるべき前記第2のアップリンクCCを送信するためのチャネル優先順位とは異なるチャネル優先順位を使用して前記共有RFスペクトル帯域を介して送信されるように前記第1のアップリンクCCを構成するステップ
をさらに含む、請求項16に記載の方法。
【請求項２４】
前記SRSを送信されるように構成するステップは、
前記SRSを前記第1のシンボルの周波数帯域幅にわたるように構成するステップ
をさらに含む、請求項16に記載の方法。
【請求項２５】
前記SRS用の前記周波数帯域幅は、前記周波数帯域幅のパワースペクトル密度限界に少なくとも部分的に基づいて設定される、請求項24に記載の方法。
【請求項２６】
送信時間間隔(TTI)の間のアップリンク送信用に前記2つ以上のアップリンクCCを含むアップリンクCCの第1のセットを割り振るステップと、
前記アップリンクCCの前記第1のセットとは異なるCCを含むダウンリンクCCの第2のセットを使用してダウンリンク送信を送信するステップとをさらに含み、
前記SRSを送信されるように構成する前記ステップは、前記アップリンクCCの前記第1のセットに含まれない前記ダウンリンクCCの前記第2のセットのCCを使用して送信されるように前記SRSを構成するステップをさらに含む、請求項16に記載の方法。
【請求項２７】
前記第1のアップリンクCCと前記第2のアップリンクCCは異なるCCである、請求項16に記載の方法。
【請求項２８】
ワイヤレス通信のための装置であって、
ワイヤレス通信ネットワークにおいて2つ以上のアップリンクコンポーネントキャリア(CC)を使用するワイヤレス通信を確立するための手段であって、前記2つ以上のアップリンクCCのうちの少なくとも1つが、共有無線周波数(RF)スペクトル帯域を使用する手段と、
前記2つ以上のアップリンクCCの各々が同じタイミングアドバンスグループ(TAG)に含まれるように構成されることを確認するための手段と、
サウンディング基準信号(SRS)が前記2つ以上のアップリンクCCのうちの第1のアップリンクCCを使用して第1のシンボルにおいて送信されるべきであることを確認するための手段と、
物理アップリンク共有チャネル(PUSCH)送信または物理アップリンク制御チャネル(PUCCH)送信のうちの1つまたは複数が前記2つ以上のアップリンクCCのうちの第2のアップリンクCCを使用して前記第1のシンボルにおいて送信されるべきであると判定するための手段と、
前記第1のアップリンクCCを使用する前記SRSおよび前記第2のアップリンクCCを使用する前記PUSCHまたはPUCCHのうちの1つまたは複数を前記第1のシンボルにおいて送信するための手段と
を備える装置。
【請求項２９】
前記2つ以上のアップリンクCCを使用する前記第1のシンボルの間の送信が電力の制限を受けないと判定するための手段をさらに備える、請求項28に記載の装置。
【請求項３０】
ワイヤレス通信のための装置であって、
ワイヤレス通信ネットワークにおいて2つ以上のアップリンクコンポーネントキャリア(CC)を使用するユーザ機器(UE)におけるワイヤレス通信を構成するための手段であって、前記2つ以上のアップリンクCCのうちの少なくとも1つが、共有無線周波数(RF)スペクトル帯域を使用する手段と、
前記2つ以上のアップリンクCCの各々を同じタイミングアドバンスグループ(TAG)に含まれるように構成するための手段と、
前記2つ以上のアップリンクCCのうちの第2のアップリンクCCを使用して前記第1のシンボルの間に送信されるべき物理アップリンク共有チャネル(PUSCH)送信または物理アップリンク制御チャネル(PUCCH)送信のうちの1つまたは複数と同時に、サウンディング基準信号(SRS)が前記2つ以上のアップリンクCCのうちの第1のアップリンクCCを使用して第1のシンボルにおいて送信されるように構成するための手段と
を備える装置。
【発明の詳細な説明】
【技術分野】
【０００１】
相互参照
本特許出願は、各々が本出願の譲受人に譲渡される、2016年12月28日に出願された「Techniques for Transmission of Sounding Reference Signal in Shared Radio Frequency Spectrum Band」と題するChenらによる米国特許出願第15/392,290号、および2015年12月30日に出願された「Techniques For Transmission of Sounding Reference Signal in Shared Radio Frequency Spectrum Band」と題するChenらによる米国仮特許出願第62/273,294号の優先権を主張する。
【０００２】
本開示は、たとえば、ワイヤレス通信システムに関し、より詳細には、共有無線周波数(RF)スペクトル帯域および専用RFスペクトル帯域におけるサウンディング基準信号の送信のための技法に関する。
【背景技術】
【０００３】
ワイヤレス通信システムは、音声、映像、パケットデータ、メッセージング、放送などの様々なタイプの通信コンテンツを提供するために広く展開されている。これらのシステムは、利用可能なシステムリソース(たとえば、時間、周波数、および電力)を共有することによって、複数のユーザとの通信をサポートすることが可能な、多元接続システムであってもよい。そのような多元接続システムの例としては、符号分割多元接続(CDMA)システム、時分割多元接続(TDMA)システム、周波数分割多元接続(FDMA)システム、および直交周波数分割多元接続(OFDMA)システムが含まれる。
【０００４】
例として、ワイヤレス多元接続通信システムは、各々が、場合によってはユーザ機器(UE)デバイスとして知られる、複数の通信デバイスのための通信を同時にサポートする、いくつかの基地局を含んでもよい。基地局は、(たとえば、基地局からUEへの送信のための)ダウンリンクチャネルおよび(たとえば、UEから基地局への送信のための)アップリンクチャネル上でUEと通信してもよい。
【０００５】
一部の通信モードは、共有無線周波数(RF)スペクトル帯域またはセルラーネットワークの様々なRFスペクトル帯域(たとえば、専用RFスペクトル帯域および共有RFスペクトル帯域)における基地局とUEとの間の通信を可能にしてもよい。しかしながら、ある公衆陸上移動網(PLMN)のデバイスによって使用できるように割り振られることがあり、所定の(またはすべての)時間においてそのPLMNの基地局またはUEが利用できる場合がある、専用RFスペクトル帯域におけるキャリアとは対照的に、共有RFスペクトル帯域におけるキャリアは、PLMNのデバイスによって間欠的に利用可能になる場合がある。このような間欠的な利用可能性は、PLMNのデバイス同士、1つまたは複数の他のPLMNのデバイス同士、および/または他のデバイス(たとえば、Wi-Fiデバイス)同士の間の、共有RFスペクトル帯域のキャリアへのアクセスをめぐる競合の結果として生じる場合がある。いくつかの無線フレームでは、PLMNのデバイスが共有RFスペクトル帯域におけるキャリアへのアクセスをめぐる競合に勝利することがあり、他の無線フレームでは、このデバイスが共有RFスペクトル帯域におけるこのキャリアへのアクセスをめぐる競合に勝利しないことがある。
【０００６】
共有RFスペクトル帯域におけるキャリアが間欠的に利用可能になるので、基地局およびUEは、共有RFスペクトル帯域の他のユーザと共存するうえで公平性を実現し、しかも信頼できる通信を可能にする技法を使用する場合がある。たとえば、そのような技法は、専用RFスペクトル帯域を使用してある情報またはあるタイプの無線フレームを送信することと、共有RFスペクトル帯域を使用して他の情報(たとえば、より優先順位の低い情報)または他の無線フレームを送信することとを含んでもよい。そのような技法は、ライセンスアシステッドアクセス(LAA)と呼ばれ、いくつかのシステムでは、システム効率を高めるために専用RFスペクトル帯域と共有RFスペクトル帯域の一方または両方に関連するいくつかのパラメータを周期的に調整することが望ましい場合がある。パラメータは、たとえば、UEから基地局に送信されるサウンディング基準信号(SRS)に部分的に基づいて判定される場合があるチャネル品質に関する1つまたは複数の測定値に基づいて調整されてもよい。共有RFスペクトル帯域を使用してアップリンク送信が送信される場合があるいくつかの展開では、チャネル品質を推定するために使用されることがあるSRSが共有RFスペクトル帯域を使用して送信される場合がある。共有RFスペクトル帯域においてSRSを送信するための効率的な技法は、そのようなネットワークの動作を向上させることがある。
【発明の概要】
【課題を解決するための手段】
【０００７】
本開示は、たとえば、ワイヤレス通信システムに関し、より詳細には、共有無線周波数(RF)スペクトル帯域および専用RFスペクトル帯域におけるサウンディング基準信号(SRS)の送信のための技法に関する。上記に示したように、場合によっては、ユーザ機器(UE)によって送信されるSRSに部分的に基づいてUEと基地局との間のアップリンクワイヤレス送信に関する1つまたは複数のパラメータを調整することが望ましいことがある。しかし、ロングタームエボリューション(LTE)およびLTEアドバンスト(LTE-A)システムによって現在使用されているSRS送信技法では、いくつかの状況においてUEがSRS送信を破棄する場合がある。たとえば、UEは、電力の制限を受ける場合、または物理アップリンク共有チャネル(PUSCH)送信または物理アップリンク制御チャネル(PUSCH)送信がSRS送信と同じシンボルにおいて重なる場合にSRS送信を破棄する場合がある。さらに、UEは、共有RFスペクトル帯域を使用する際に、ワイヤレス送信をめぐる競合に勝利しない場合があり、それによって、UEのSRS送信機会がさらに減ることがある。本開示の様々な態様は、SRSが送信される可能性を高くする場合があり、したがって、UEまたは基地局の1つまたは複数のスケジューリングパラメータまたは送信パラメータを設定するのに使用されることがあるチャネル品質情報をUEに提供することによってネットワーク効率を高める場合がある共有RFスペクトル帯域を使用するSRS送信のための技法を提供する。
【０００８】
本開示において説明する技法は、共有RFスペクトル帯域のみにおけるSRS送信または共有RFスペクトル帯域と専用RFスペクトル帯域(または任意の利用可能なRFスペクトル帯域)を連携させたSRS送信を可能にする。いくつかの例では、2つ以上のアップリンクコンポーネントキャリア(CC)がUEからのアップリンク送信向けに構成されてもよく、アップリンクCCのうちの少なくとも1つが共有RFスペクトル帯域を使用する。UEは、2つ以上のCCが、同じタイミングアドバンスグループ(TAG)に含まれ、同じアップリンクシンボルの間にSRS送信およびPUSCH/PUCCH送信を送信する(SRS送信と同じCC上または異なるCC上のいずれかで送信する)ことを確認する場合がある。
【０００９】
いくつかの例では、UEは、SRS送信シンボルの間電力の制限を受ける場合に最小設定電力に基づいてSRSを送信してもよい。そのような技法は、UEがSRSを送信するためのさらなる機会をもたらすことがあり、それによって、UEのアップリンク/ダウンリンク送信に関するより正確なチャネル品質が基地局にもたらされる場合があり、より正確なチャネル品質の情報に基づいて送信パラメータまたはスケジューリングパラメータを設定することが可能になる場合がある。いくつかの例では、共有RFスペクトル帯域においてSRS送信を行うCCに割り当てられるチャネル優先順位は、専用RFスペクトル帯域を使用する同様の送信用のチャネル優先順位よりも高いチャネル優先順位に設定されてもよい。いくつかの例では、ダウンリンクCCのセットは、アップリンク送信向けに構成されたCCのセットのサブセットによってダウンリンク送信向けに構成されてもよく、UEは、CCのサブセットには含まれないCCをSRS送信に使用してもよい。
【００１０】
UEにおけるワイヤレス通信の方法について説明する。この方法は、ワイヤレス通信ネットワークにおいて2つ以上のアップリンクCCを使用するワイヤレス通信を確立するステップであって、2つ以上のアップリンクCCのうちの少なくとも1つが共有RFスペクトル帯域を使用する、ステップと、2つ以上のアップリンクCCの各々が同じTAGに含まれるように構成されることを確認するステップと、SRSが2つ以上のアップリンクCCのうちの第1のアップリンクCCを使用して第1のシンボルにおいて送信されるべきであることを確認するステップと、PUSCH送信またはPUCCH送信のうちの1つまたは複数が2つ以上のアップリンクCCのうちの第2のアップリンクCCを使用して第1のシンボルにおいて送信されるべきであると判定するステップと、第1のアップリンクCCを使用するSRSおよび第2のアップリンクCCを使用するPUSCHまたはPUCCHのうちの1つまたは複数を第1のシンボルにおいて送信するステップとを含んでもよい。
【００１１】
ワイヤレス通信のための装置について説明する。この装置は、ワイヤレス通信ネットワークにおいて2つ以上のアップリンクCCを使用するワイヤレス通信を確立するための手段であって、2つ以上のアップリンクCCのうちの少なくとも1つが共有RFスペクトル帯域を使用する手段と、2つ以上のアップリンクCCの各々が同じTAGに含まれるように構成されることを確認するための手段と、SRSが2つ以上のアップリンクCCのうちの第1のアップリンクCCを使用して第1のシンボルにおいて送信されるべきであることを確認するための手段と、PUSCH送信またはPUCCH送信のうちの1つまたは複数が2つ以上のアップリンクCCのうちの第2のアップリンクCCを使用して第1のシンボルにおいて送信されるべきであると判定するための手段と、第1のアップリンクCCを使用するSRSおよび第2のアップリンクCCを使用するPUSCHまたはPUCCHのうちの1つまたは複数を第1のシンボルにおいて送信するための手段とを含んでもよい。
【００１２】
さらなる装置について説明する。本装置は、プロセッサと、プロセッサと電子的に通信するメモリと、メモリに記憶された命令とを含んでもよい。これらの命令は、ワイヤレス通信ネットワークにおいて2つ以上のアップリンクCCを使用するワイヤレス通信を確立することであって、2つ以上のアップリンクCCのうちの少なくとも1つが共有RFスペクトル帯域を使用する、ワイヤレス通信を確立することと、2つ以上のアップリンクCCの各々が同じTAGに含まれるように構成されることを確認することと、サウンディング基準信号(SRS)が2つ以上のアップリンクCCのうちの第1のアップリンクCCを使用して第1のシンボルにおいて送信されるべきであることを確認することと、PUSCH送信またはPUCCH送信のうちの1つまたは複数が2つ以上のアップリンクCCのうちの第2のアップリンクCCを使用して第1のシンボルにおいて送信されるべきであると判定することと、第1のアップリンクCCを使用するSRSおよび第2のアップリンクCCを使用するPUSCHまたはPUCCHのうちの1つまたは複数を第1のシンボルにおいて送信することとをプロセッサに行わせるように動作可能であってもよい。
【００１３】
ワイヤレス通信のための非一時的コンピュータ可読媒体について説明する。非一時的コンピュータ可読媒体は、ワイヤレス通信ネットワークにおいて2つ以上のアップリンクCCを使用するワイヤレス通信を確立することであって、2つ以上のアップリンクCCのうちの少なくとも1つが共有RFスペクトル帯域を使用する、ワイヤレス通信を確立することと、2つ以上のアップリンクCCの各々が同じTAGに含まれるように構成されることを確認することと、SRSが2つ以上のアップリンクCCのうちの第1のアップリンクCCを使用して第1のシンボルにおいて送信されるべきであることを確認することと、PUSCH送信またはPUCCH送信のうちの1つまたは複数が2つ以上のアップリンクCCのうちの第2のアップリンクCCを使用して第1のシンボルにおいて送信されるべきであると判定することと、第1のアップリンクCCを使用するSRSおよび第2のアップリンクCCを使用するPUSCHまたはPUCCHのうちの1つまたは複数を第1のシンボルにおいて送信することとをプロセッサに行わせるための命令を含んでもよい。
【００１４】
上述した方法、装置、または非一時的コンピュータ可読媒体のいくつかの例は、2つ以上のアップリンクCCを使用する第1のシンボルの間の送信が電力の制限を受けないと判定するためのプロセス、特徴、手段、または命令をさらに含んでもよい。いくつかの例では、上述した方法、装置、または非一時的コンピュータ可読媒体は、2つ以上のアップリンクCCを使用する第1のシンボルの間の送信が電力の制限を受けないと判定することと、SRSの送信を破棄することとを行うためのプロセス、特徴、手段、または命令をさらに含んでもよい。
【００１５】
上述した方法、装置、または非一時的コンピュータ可読媒体のいくつかの例では、送信は、2つ以上のアップリンクCCを使用する第1のシンボルの間の送信が電力の制限を受けると判定することと、第1のアップリンクCCの送信向けに設定された最小電力レベルに基づいてSRSを送信することとを含んでもよい。いくつかの例では、第1のアップリンクCCは共有RFスペクトル帯域の一部である。他の例では、第1のアップリンクCCは共有RFスペクトル帯域の一部ではない。
【００１６】
上述した方法、装置、または非一時的コンピュータ可読媒体のいくつかの例は、無線フレームの通常のアップリンクサブフレームの間にSRSを送信するためのプロセス、特徴、手段、または命令をさらに含んでもよい。上述した方法、装置、または非一時的コンピュータ可読媒体の他の例は、無線フレームの特殊サブフレームの間にSRSを送信するためのプロセス、特徴、手段、または命令をさらに含んでもよい。たとえば、2つ以上のSRSが特殊サブフレームのアップリンクパイロットタイムスロット(UpPTS)の間に送信されてもよい。
【００１７】
上述した方法、装置、または非一時的コンピュータ可読媒体のいくつかの例では、SRSは、専用RFスペクトル帯域を介してCCを使用してSRSを送信するためのチャネル優先順位とは異なるチャネル優先順位を使用し、共有RFスペクトル帯域を介して第1のアップリンクCCを使用して送信されてもよい。いくつかの例では、SRSは、第1のシンボルの周波数帯域幅にわたるようにフォーマッティングされてもよく、このフォーマッティングは、周波数帯域幅のパワースペクトル密度限界に少なくとも部分的に基づいてもよい。
【００１８】
上述した方法、装置、または非一時的コンピュータ可読媒体のいくつかの例では、2つ以上のアップリンクCCは、送信時間間隔(TTI)の間のアップリンク送信用に割り振られたアップリンクCCの第1のセットを含んでもよく、送信は、アップリンクCCの第1のセットを使用してPUCCH送信またはPUSCH送信のうちの1つまたは複数を送信することと、アップリンクCCの第1のセットには含まれない異なるアップリンクCCを使用してSRSを送信することとを含んでもよい。いくつかの例では、異なるアップリンクCCは、ダウンリンクCCの第2のセットに関連するCCであり、アップリンクCCの第1のセットは、ダウンリンクCCの第2のセットよりも少ないCCを含む。いくつかの例では、第1のアップリンクCCと第2のアップリンクCCは異なるCCである。
【００１９】
基地局におけるワイヤレス通信の方法について説明する。この方法は、ワイヤレス通信ネットワークにおいて2つ以上のアップリンクCCを使用するUEにおけるワイヤレス通信を構成するステップであって、2つ以上のアップリンクCCのうちの少なくとも1つが共有RFスペクトル帯域を使用する、ステップと、2つ以上のアップリンクCCの各々を同じTAGに含まれるように構成するステップと、2つ以上のアップリンクCCのうちの第2のアップリンクCCを使用して第1のシンボルの間に送信されるべきPUSCH送信またはPUCCH送信のうちの1つまたは複数と同時に、2つ以上のアップリンクCCのうちの第1のアップリンクCCを使用して第1のシンボルにおいて送信されるようにSRSを構成するステップとを含んでもよい。
【００２０】
ワイヤレス通信のための装置について説明する。この装置は、ワイヤレス通信ネットワークにおいて2つ以上のアップリンクCCを使用するUEにおけるワイヤレス通信を構成するための手段であって、2つ以上のアップリンクCCのうちの少なくとも1つが共有RFスペクトル帯域を使用する手段と、2つ以上のアップリンクCCの各々を同じTAGに含まれるように構成するための手段と、2つ以上のアップリンクCCのうちの第2のアップリンクCCを使用して第1のシンボルの間に送信されるべきPUSCH送信またはPUCCH送信のうちの1つまたは複数と同時に、2つ以上のアップリンクCCのうちの第1のアップリンクCCを使用して送信されるようにSRSを構成するための手段とを含んでもよい。
【００２１】
さらなる装置について説明する。本装置は、プロセッサと、プロセッサと電子的に通信するメモリと、メモリに記憶された命令とを含んでもよい。これらの命令は、ワイヤレス通信ネットワークにおいて2つ以上のアップリンクコンポーネントキャリア(CC)を使用するユーザ機器(UE)におけるワイヤレス通信を構成することであって、2つ以上のアップリンクCCのうちの少なくとも1つが共有RFスペクトル帯域を使用する、ワイヤレス通信を構成することと、2つ以上のアップリンクCCの各々を同じタイミングアドバンスグループ(TAG)に含まれるように構成することと、2つ以上のアップリンクCCのうちの第2のアップリンクCCを使用して第1のシンボルの間に送信されるべき物理アップリンク共有チャネル(PUSCH)送信または物理アップリンク制御チャネル(PUCCH)送信のうちの1つまたは複数と同時に、2つ以上のアップリンクCCのうちの第1のアップリンクCCを使用して第1のシンボルにおいて送信されるようにサウンディング基準信号(SRS)を構成することとをプロセッサに行わせるように動作可能であってもよい。
【００２２】
ワイヤレス通信のための非一時的コンピュータ可読媒体について説明する。非一時的コンピュータ可読媒体は、ワイヤレス通信ネットワークにおいて2つ以上のアップリンクコンポーネントキャリア(CC)を使用するユーザ機器(UE)におけるワイヤレス通信を構成することであって、2つ以上のアップリンクCCのうちの少なくとも1つが共有RFスペクトル帯域を使用する、ワイヤレス通信を構成することと、2つ以上のアップリンクCCの各々を同じタイミングアドバンスグループ(TAG)に含まれるように構成することと、2つ以上のアップリンクCCのうちの第2のアップリンクCCを使用して第1のシンボルの間に送信されるべき物理アップリンク共有チャネル(PUSCH)送信または物理アップリンク制御チャネル(PUCCH)送信のうちの1つまたは複数と同時に、2つ以上のアップリンクCCのうちの第1のアップリンクCCを使用して第1のシンボルにおいて送信されるようにサウンディング基準信号(SRS)を構成することとをプロセッサに行わせるための命令を含んでもよい。
【００２３】
上述した方法、装置、または非一時的コンピュータ可読媒体のいくつかの例は、2つ以上のアップリンクCCを使用する第1のシンボルの間の送信が電力の制限を受けるときに使用すべき最小送信電力レベルに基づいて送信されるようにSRSを構成するためのプロセス、特徴、手段、または命令をさらに含んでもよい。上述した方法、装置、または非一時的コンピュータ可読媒体のいくつかの例では、第1のアップリンクCCは、共有RFスペクトル帯域の一部であってもよい。他の例では、第1のアップリンクCCは共有RFスペクトル帯域の一部でなくてもよい。
【００２４】
上述した方法、装置、または非一時的コンピュータ可読媒体のいくつかの例では、SRSは、無線フレームの通常のアップリンクサブフレームの間に送信されるように構成されてもよい。他の例では、SRSは、無線フレームの特殊サブフレームの間に送信されるように構成されてもよく、たとえば、特殊サブフレームのアップリンクパイロットタイムスロット(UpPTS)の間に送信されるべき1つまたは複数のSRSシンボルにおいて送信されるように構成されてもよい。
【００２５】
上述した方法、装置、または非一時的コンピュータ可読媒体のいくつかの例は、専用RFスペクトル帯域を介して送信されるべき第2のアップリンクCCを送信するためのチャネル優先順位とは異なるチャネル優先順位を使用して共有RFスペクトル帯域を介して送信されるように第1のアップリンクCCを構成するためのプロセス、特徴、手段、または命令をさらに含んでもよい。いくつかの例では、SRSは、第1のシンボルの周波数帯域幅にわたるように構成されてもよく、このことは、周波数帯域幅のパワースペクトル密度限界に少なくとも部分的に基づいてもよい。
【００２６】
上述した方法、装置、または非一時的コンピュータ可読媒体のいくつかの例は、送信時間間隔(TTI)の間のアップリンク送信用の2つ以上のアップリンクCCを含むアップリンクCCの第1のセットを割り振ることと、アップリンクCCの第1のセットとは異なるCCを含むダウンリンクCCの第2のセットを使用してダウンリンク送信を送信することとを行うためのプロセス、特徴、手段、または命令をさらに含んでもよく、SRSを送信されるように構成することは、アップリンクCCの第1のセットには含まれないダウンリンクCCの第2のセットのCCを使用して送信されるようにSRSを構成することをさらに含んでもよい。いくつかの例では、第1のアップリンクCCと第2のアップリンクCCは異なるCCである。
【００２７】
上記では、以下の発明を実施するための形態の詳細な説明がよりよく理解され得るように、本開示による例の特徴および技術的利点についてかなり広く概説した。以下で、追加の特徴および利点について説明する。開示する概念および具体例は、本開示の同じ目的を実行するための他の構造を変更または設計するための基礎として容易に利用される場合がある。そのような等価な構成は、添付の特許請求の範囲から逸脱しない。本明細書で開示する概念、それらの構成および動作方法の両方、および関連する利点の特徴は、添付の図面に関連して考慮されるとき、以下の説明からよりよく理解されるであろう。図の各々は、例示および説明の目的でのみ与えられるものであり、特許請求の範囲の制限の定義として与えられるものではない。
【００２８】
以下の図面を参照することにより、本開示の本質および利点のより一層の理解が実現される場合がある。添付の図面において、類似の構成要素または機能は、同じ参照符号を有することがある。さらに、同じタイプの様々な構成要素は、参照符号の後に、ダッシュと、同様の構成要素を区別する第2の符号とを続けることによって、区別されることがある。第1の参照符号のみが本明細書において使用される場合、説明は、第2の参照符号にかかわらず、同じ第1の参照符号を有する同様の構成要素のうちのいずれにも適用可能である。
【図面の簡単な説明】
【００２９】
【図１】本開示の様々な態様による、ワイヤレス通信システムの例を示す図である。
【図２】本開示の様々な態様による、共有無線周波数(RF)スペクトル帯域を使用するライセンスアシステッドアクセス(LAA)キャリアアグリゲーション(CA)モードにおいてLTE/LTE-Aが展開される場合があるワイヤレス通信システムを示す図である。
【図３】本開示の様々な態様による、サウンディング基準信号(SRS)の送信のための第1のコンポーネントキャリア(CC)および物理アップリンク制御チャネル(PUCCH)送信または物理アップリンク共有チャネル(PUSCH)送信の送信のための第2のCCのリソースの例を示す図である。
【図４】本開示の様々な態様による、ダウンリンク送信向けに構成されておりアップリンクPUSCH送信向けには構成されていないCCを使用してSRSが送信されるワイヤレス通信システムを示す図である。
【図５】本開示の様々な態様による、UEが共有RFスペクトル帯域においてSRSを送信するメッセージフローを示す図である。
【図６】本開示の様々な態様による、ワイヤレス通信において使用される装置のブロック図である。
【図７】本開示の様々な態様による、ワイヤレス通信において使用される装置のブロック図である。
【図８】本開示の様々な態様による、ワイヤレス通信において使用される装置のブロック図である。
【図９】本開示の様々な態様による、ワイヤレス通信において使用される装置のブロック図である。
【図１０】本開示の様々な態様による、ワイヤレス通信において使用される基地局(たとえば、eNBの一部または全部を形成する基地局)のブロック図である。
【図１１】本開示の様々な態様による、ワイヤレス通信において使用されるUEのブロック図である。
【図１２】本開示の様々な態様による、ワイヤレス通信のための方法の一例を示すフローチャートである。
【図１３】本開示の様々な態様による、ワイヤレス通信のための方法の一例を示すフローチャートである。
【図１４】本開示の様々な態様による、ワイヤレス通信のための方法の一例を示すフローチャートである。
【発明を実施するための形態】
【００３０】
共有無線周波数(RF)スペクトル帯域がワイヤレス通信システムを介した通信の少なくとも一部分のために使用される技法について説明する。いくつかの例では、共有RFスペクトル帯域は、LTE/LTE-A通信に使用されてもよく、ユーザ機器(UE)によってサウンディング基準信号(SRS)を送信するために使用されてもよい。共有RFスペクトル帯域は、専用RFスペクトル帯域と組み合わせて使用されてもよく、あるいはそれとは独立に使用されてもよい。専用RFスペクトル帯域は、送信装置がアクセスをめぐって競合しない場合があるRFスペクトル帯域(たとえば、LTE/LTE-A通信のために使用可能な認可RFスペクトル帯域などの、特定の用途のために特定のユーザに認可されているRFスペクトル帯域)を含んでもよい。共有RFスペクトル帯域は、送信装置がアクセスをめぐって競合する場合があるRFスペクトル帯域(たとえば、Wi-Fi用途などの免許不要の用途に利用することができるRFスペクトル帯域、それぞれに異なる無線アクセス技術による用途に利用することができるRFスペクトル帯域、あるいは複数の事業者による用途に関して平等に共有するかまたは優先順位に従って利用することができるRFスペクトル帯域)を含んでもよい。
【００３１】
デバイスが専用RFスペクトル帯域と共有RFスペクトル帯域の両方を使用してもよいので、本開示の態様において説明する基地局およびUEは、SRS送信を行って改善されたシステム動作を可能にするための技法を使用してもよい。本開示は、共有RFスペクトル帯域および専用RFスペクトル帯域におけるSRSの送信のための技法を提供する。いくつかの例では、2つ以上のアップリンクコンポーネントキャリア(CC)がUEからのアップリンク(UL)送信向けに構成されてもよく、アップリンクCCのうちの少なくとも1つが共有RFスペクトル帯域を使用する。UEは、2つ以上のCCが、同じタイミングアドバンスグループ(TAG)に含まれ、同じアップリンクシンボルの間にSRS送信およびPUSCH/PUCCH送信を送信する(SRS送信と同じCC上または異なるCC上のいずれかで送信する)ことを確認する場合がある。
【００３２】
いくつかの例では、UEは、SRS送信シンボルの間電力が制限される場合に最小設定電力に基づくSRSを送信してもよい。いくつかの例では、共有RFスペクトル帯域においてSRS送信を行うCCに割り当てられるチャネル優先順位は、専用RFスペクトル帯域を使用する同様の送信用のチャネル優先順位よりも高いチャネル優先順位に設定されてもよい。いくつかの例では、ダウンリンクCCのセットは、アップリンク送信向けに構成されたCCのセットのサブセットによってダウンリンク送信向けに構成されてもよく、UEは、CCのサブセットには含まれないCCをSRS送信に使用してもよい。
【００３３】
そのような技法は、UEがSRSを送信するための改善された機会を実現する場合があり、それによって、システム動作および効率が向上することがある。上記に示したように、場合によっては、UEによって送信されるSRSに部分的に基づいてUEと基地局との間のアップリンクまたはダウンリンクワイヤレス送信に関する1つまたは複数のスケジューリングパラメータまたは送信パラメータを調整することが望ましいことがある。ロングタームエボリューション(LTE)およびLTEアドバンスト(LTE-A)によって現在使用されているSRS送信技法では、いくつかの状況においてUEがSRSを送信できない場合がある。たとえば、既存の技法では、同じTAG内のCCの場合、物理アップリンク共有チャネル(PUSCH)または物理アップリンク制御チャネル(PUCCH)がSRSの送信のための時間と重なる場合にSRS送信が破棄される。さらに、現在のLTE/LTE-A技法によるSRS送信は、UEが、SRSを含める送信に関して電力の制限を受ける場合に破棄されることがある。したがって、状況によっては、SRS送信が破棄される場合があり、それによって、UEに関連するチャネル品質情報が少なくなることがある。さらに、UEは、共有RFスペクトル帯域を使用する際に、ワイヤレス送信をめぐる競合に勝利しない場合があり、それによって、UEのSRS送信の回数がさらに減ることがある。本開示の様々な態様は、SRSが送信される可能性を高くする場合があり、したがって、UEまたは基地局の1つまたは複数の送信パラメータを設定するのに使用されることがあるチャネル品質情報をUEに提供することによってネットワーク効率を高める場合がある。
【００３４】
以下の説明は例を提示するものであり、特許請求の範囲に記載される範囲、適用可能性、または例を限定するものではない。本開示の範囲から逸脱することなく、説明する要素の機能および構成が変更されてもよい。様々な例では、必要に応じて、様々な手順または構成要素を省略し、置換し、または追加することがある。たとえば、説明する方法は、それとは異なる順序で実行されてもよく、様々なステップが追加され、省略され、または組み合わされることがある。また、いくつかの例に関して説明する特徴が、他の例では組み合わされることがある。
【００３５】
図1は、本開示の様々な態様による、ワイヤレス通信システム100の例を示す。ワイヤレス通信システム100は、基地局105、UE115、およびコアネットワーク130を含んでもよい。コアネットワーク130は、ユーザ認証、アクセス許可、追跡、インターネットプロトコル(IP)接続性、および他のアクセス機能、ルーティング機能、またはモビリティ機能を実現してもよい。基地局105は、バックホールリンク132(たとえば、S1など)を通じてコアネットワーク130とインターフェースしてもよく、UE115との通信のための無線構成およびスケジューリングを実行してもよく、あるいは基地局コントローラ(図示せず)の制御下で動作してもよい。様々な例では、基地局105は、有線通信リンクであってもあるいはワイヤレス通信リンクであってもよいバックホールリンク134(たとえば、X2など)を通じて直接または間接的に(たとえば、コアネットワーク130を通じて)に互いに通信してもよい。UE115は、以下で様々な例において説明するような様々な技法に従ってSRSを送信してもよく、SRSは、基地局105によって1つまたは複数のスケジューリングパラメータまたは送信パラメータを判定する際に使用される場合がある。
【００３６】
基地局105は、1つまたは複数の基地局アンテナを介してUE115とワイヤレス通信してもよい。基地局105のサイトの各々は、それぞれの地理的カバレージエリア110に関する通信カバレージを実現してもよい。いくつかの例では、基地局105は、トランシーバ基地局、無線基地局、アクセスポイント、無線トランシーバ、NodeB、eNodeB(eNB)、ホームNodeB、ホームeNodeB、または何らかの他の適切な用語で呼ばれることがある。基地局105の地理的カバレージエリア110は、カバレージエリアの一部分を構成するセクタ(図示せず)に分割されてもよい。ワイヤレス通信システム100は、異なるタイプの基地局105(たとえば、マクロセル基地局またはスモールセル基地局)を含んでもよい。様々な技術に対して地理的カバレージエリア110が重なってもよい。
【００３７】
いくつかの例では、ワイヤレス通信システム100は、LTEまたはLTE-Aネットワークを含んでもよい。LTE/LTE-Aネットワークでは、発展型ノードB(eNB)という用語は、基地局105を表すために使用される場合があるが、UEという用語は、UE115を表すために使用されることがある。ワイヤレス通信システム100は、異なるタイプのeNBが様々な地理的領域のためのカバレージを実現する異種LTE/LTE-Aネットワークであってもよい。たとえば、各eNBまたは基地局105は、マクロセル、スモールセル、または他のタイプのセルに関する通信カバレージを実現してもよい。「セル」という用語は、文脈に応じて、基地局、基地局と関連付けられるキャリアもしくはコンポーネントキャリア、またはキャリアもしくは基地局のカバレージエリア(たとえば、セクタなど)を表すために使用することができる3GPP用語である。
【００３８】
マクロセルは、比較的大きい地理的エリア(たとえば、半径数キロメートル)をカバーすることがあり、ネットワークプロバイダのサービスに加入しているUEによる無制限アクセスを可能にすることがある。スモールセルは、マクロセルと比較して、マクロセルと同じRFスペクトル帯域(たとえば、認可RFスペクトル帯域、共有RFスペクトル帯域など)またはマクロセルとは異なるRFスペクトル帯域で動作する場合がある低電力基地局であってもよい。スモールセルには、様々な例に応じて、ピコセル、フェムトセル、およびマイクロセルを含めてもよい。ピコセルは、比較的小さい地理的エリアをカバーすることがあり、ネットワークプロバイダのサービスに加入しているUEによる無制限アクセスを可能にすることがある。フェムトセルも、比較的小さい地理的エリア(たとえば、自宅)をカバーすることがあり、フェムトセルとの関連性を有するUE(たとえば、限定加入者グループ(CSG)の中のUE、自宅内のユーザのためのUEなど)による制限付きアクセスを可能にする場合がある。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートしてもよい。
【００３９】
ワイヤレス通信システム100は同期動作をサポートしてもよく、あるいは非同期動作をサポートしてもよい。同期動作の場合、基地局は、同様のフレームタイミングを有することがあり、異なる基地局からの送信は、概ね時間的に整合される場合がある。非同期動作の場合、各基地局は異なるフレームタイミングを有することがあり、それぞれに異なる基地局からの送信は時間的に整合されないことがある。本明細書において説明する技法は、同期動作または非同期動作のいずれに使用されてもよい。
【００４０】
開示される様々な例のいくつかに適応する場合がある通信ネットワークは、階層化プロトコルスタックに従って動作するパケットベースネットワークであってもよい。ユーザプレーンでは、ベアラまたはパケットデータコンバージェンスプロトコル(PDCP)レイヤにおける通信は、IPベースであってもよい。RLCレイヤは、論理チャネルを介して通信するために、パケットのセグメント化および再アセンブリを実行してもよい。媒体アクセス制御(MAC)レイヤが、優先度処理と、トランスポートチャネルへの論理チャネルの多重化とを実行してもよい。MACレイヤはまた、ハイブリッドARQ(HARQ)を使用してMACレイヤにおける再送信を行い、リンク効率を改善してもよい。制御プレーンでは、無線リソース制御(RRC)プロトコルレイヤが、ユーザプレーンデータのための無線ベアラをサポートする、UE115と基地局105またはコアネットワーク130との間のRRC接続の確立と構成と保守とを行ってもよい。物理(PHY)レイヤにおいて、トランスポートチャネルは物理チャネルにマッピングされてもよい。
【００４１】
UE115は、ワイヤレス通信システム100全体にわたって分散されてもよく、各UE115は固定されてもよくあるいは移動可能であってもよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであってもよい。UEは、マクロeNB、スモールセルeNB、中継基地局などを含む、様々なタイプの基地局およびネットワーク機器と通信することが可能であってもよい。
【００４２】
ワイヤレス通信システム100に示されている通信リンク125は、基地局105からUE115へのダウンリンク(DL)送信を含んでも、あるいはUE115から基地局105へのアップリンク(UL)送信を含んでもよい。ダウンリンク送信は、順方向リンク送信と呼ばれることもあり、アップリンク送信は、逆方向リンク送信と呼ばれることもある。
【００４３】
いくつかの例では、各通信リンク125は1つまたは複数のCCを含むことがあり、ここで、各CCは、上で説明した様々な無線技術に従って変調された複数のサブキャリア(たとえば、それぞれに異なる周波数の波形信号)からなる信号であってもよい。各変調された信号は、異なるサブキャリア上で送信されることがあり、制御情報(たとえば、参照信号、制御チャネルなど)、オーバーヘッド情報、ユーザデータなどを伝達してもよい(本開示におけるいくつかの場合には集合的に「データ」と呼ばれる)。通信リンク125は、周波数領域複信(FDD)動作を使用する(たとえば、対のスペクトルリソースを使用する)か、または時間領域複信(TDD)動作を使用して(たとえば、不対のスペクトルリソースを使用して)双方向通信を送信してもよい。FDD動作(たとえば、フレーム構造タイプ1)およびTDD動作(たとえば、フレーム構造タイプ2)のフレーム構造が定義されてもよい。
【００４４】
ワイヤレス通信システム100のいくつかの例では、基地局105またはUE115は、アンテナダイバーシティ方式を利用して基地局105とUE115との間の通信品質および信頼性を改善するための複数のアンテナを含んでもよい。追加または代替として、基地局105またはUE115は、同じまたは異なるコーディングされたデータを伝達する複数の空間レイヤを送信するためにマルチパス環境を利用する場合がある多入力多出力(MIMO)技法を利用してもよい。
【００４５】
ワイヤレス通信システム100は、複数のセルまたはキャリア上での動作、すなわち、キャリアアグリゲーション(CA)またはデュアル接続動作と呼ばれることがある機能をサポートしてもよい。キャリアはまた、コンポーネントキャリア(CC)、レイヤ、チャネルなどと呼ばれることがある。「キャリア」、「コンポーネントキャリア」、「セル」、および「チャネル」という用語は、本明細書では互換的に使用されることがある。キャリアアグリゲーションは、FDDコンポーネントキャリアとTDDコンポーネントキャリアの両方とともに使用される場合がある。
【００４６】
LTE/LTE-Aネットワークでは、UE115は、キャリアアグリゲーションモードまたはデュアル接続モードで動作するとき、最高で5つのコンポーネントキャリア(CC)を使用して通信するように構成されてもよい。CCのうちの1つまたは複数はDL CCとして構成されることがあり、CCのうちの1つまたは複数はUL CCとして構成されることがある。また、UE115に割り振られるCCのうちの1つがプライマリCC(PCC)として構成されることがあり、UE115に割り振られる残りのCCがセカンダリCC(SCC)として構成されることがある。アップリンク送信に使用されるCCの数は、場合によっては、ダウンリンク送信に使用されるCCの数とは異なってもよい。たとえば、基地局105は、UE115に関して3つのダウンリンクCCおよび2つのアップリンクCCを構成してもよい。そのような非対称的なアップリンクCCとダウンリンクCCは、アップリンクCCまたはダウンリンクCCを介して送信されるべきデータの量などの様々なパラメータに基づいて構成されてもよい。
【００４７】
いくつかの例では、ワイヤレス通信システム100は、専用RFスペクトル帯域(たとえば、特定の用途のために特定のユーザに認可されているので送信装置がアクセスをめぐって競合しない場合があるRFスペクトル帯域(たとえば、LTE/LTE-A通信のために使用可能な認可RFスペクトル帯域))、または共有RFスペクトル帯域(たとえば、送信装置がアクセスをめぐって競合する場合があるRFスペクトル帯域(たとえば、Wi-Fi用途などの免許不要の用途に利用可能なRFスペクトル帯域、それぞれに異なる無線アクセス技術による使用が可能なRFスペクトル帯域、あるいは複数の事業者による用途に関して平等に共有するかまたは優先順位に従って利用することができるRFスペクトル帯域))を介した動作をサポートしてもよい。
【００４８】
上記に示したように、場合によっては、UE115と基地局105との間のワイヤレス送信に関する1つまたは複数のパラメータを調整することが望ましいことがある。本明細書において説明する様々な技法は、共有RFスペクトル帯域または専用RFスペクトル帯域(または任意の利用可能なRFスペクトル帯域)におけるSRS送信を可能にする。いくつかの例では、2つ以上のアップリンクCCがUEからのアップリンク送信向けに構成されてもよく、アップリンクCCのうちの少なくとも1つが共有RFスペクトル帯域を使用する。UEは、2つ以上のCCが、同じタイミングアドバンスグループ(TAG)に含まれ、同じアップリンクシンボルの間にSRS送信およびPUSCH/PUCCH送信を送信する(SRS送信と同じCC上または異なるCC上のいずれかで送信する)ことを確認する場合がある。いくつかの例では、電力を制限されたUEが、最小設定電力に基づいてSRSを送信してもよい。いくつかの例では、共有RFスペクトル帯域においてSRS送信を行うCCに割り当てられるチャネル優先順位は、専用RFスペクトル帯域を使用する同様の送信用のチャネル優先順位よりも高いチャネル優先順位に設定されてもよい。いくつかの例では、SRS送信は、ダウンリンクデータ送信向けに構成されるがアップリンクデータ送信向けには構成されないCCを使用してもよい。
【００４９】
図2は、本開示の様々な態様による、共有RFスペクトル帯域を使用するライセンス補助アクセス(LAA)キャリアアグリゲーション(CA)モードにおいてLTE/LTE-Aが展開される場合があるワイヤレス通信システム200を示す図である。ワイヤレス通信システム200は、基地局205とUE215とを含んでもよく、これらは、それぞれ、図1を参照しながら説明した、対応する基地局105およびUE115の例であってもよい。
【００５０】
ワイヤレス通信システム200のLAA CAモードの一例では、基地局205は、2つ以上のCC230を使用してOFDMA波形をUE215に送信してもよい。2つ以上のCCが第1のCC220を含んでもよく、基地局205は、第1のCC220を使用してOFDMA波形、SC-FDMA波形、またはリソースブロックインターリーブFDMA波形をUE215から受信してもよい。第1のCC220は、共有RFスペクトル帯域内周波数と関連付けられてもよい。共有RFスペクトル帯域は、送信装置がアクセスをめぐって競合する場合があるRFスペクトル帯域(たとえば、Wi-Fi用途などの免許不要の用途に利用することができるRFスペクトル帯域、それぞれに異なる無線アクセス技術による用途に利用することができるRFスペクトル帯域、あるいは複数の事業者による用途に関して平等に共有するかまたは優先順位に従って利用することができるRFスペクトル帯域)を含んでもよい。基地局205はまた、第2のCC225を使用してOFDMA波形をUE215に送信してもよく、第2のCC225を使用してSC-FDMA波形をUE215から受信してもよい。第2のCC225は、専用RFスペクトル帯域内の周波数と関連付けられてもよく、あるいは共有RFスペクトル帯域内の周波数と関連付けられてもよい。専用RFスペクトル帯域は、送信装置がアクセスをめぐって競合しない場合があるRFスペクトル帯域(たとえば、LTE/LTE-A通信のために使用可能な認可RFスペクトル帯域などの、特定の用途のために特定のユーザに認可されているRFスペクトル帯域)を含んでもよい。第1のCC220は、基地局205に関するダウンリンク容量オフロードおよびアップリンク容量オフロードを行ってもよい。この例は、サービスプロバイダ(たとえば、モバイルネットワーク事業者(MNO))が専用RFスペクトル帯域を使用し、共有RFスペクトル帯域を使用してトラフィックまたはシグナリングの輻輳を軽減するときに生じる場合がある。この例は、例示を目的に提示されており、容量オフロードを目的として専用RFスペクトル帯域におけるLTE/LTE-A通信を共有RFスペクトル帯域におけるLTE/LTE-A通信と組み合わせる他の同様の動作モードまたは展開シナリオが存在してもよい。
【００５１】
上記で説明したように、共有RFスペクトル帯域におけるLTE/LTE-Aを使用することによってもたらされる容量オフロードから利益を得る場合がある1つのタイプのサービスプロバイダは、LTE/LTE-Aの専用RFスペクトル帯域へのアクセス権を有する従来のMNOである。これらのサービスプロバイダについては、動作の例として、専用RFスペクトル帯域上のLTE/LTE-A PCCと共有RFスペクトル帯域上の少なくとも1つのSCCとを使用する、ブートストラップモードを含めてもよい。いくつかの例では、基地局205は、住宅環境、小規模企業環境、中規模企業環境、または大企業環境に展開されてもよく、UE215が共有RFスペクトル帯域を使用してPCell接続およびSCell接続を確立するのを可能にしてもよい。そのような展開によって、UE215は、共有RFスペクトル帯域を使用して動作することが可能になる場合があり、かつ認可RFスペクトル帯域を介したUE215によるデータ使用量が低減する場合があり、それによって、場合によってはUE215のユーザのコスト削減の助けになることがある。そのような展開によって、無認可RFスペクトル帯域が利用できないかまたは無認可RFスペクトル帯域のサービス品質が比較的劣る場合に使用されることがある認可RFスペクトル帯域の信頼性も得られる場合がある。いくつかの例では、基地局205は、認可スペクトルアクセスと共有スペクトルアクセスの両方のためのハードウェアを含んでもよい。したがって、そのような展開によって、共有RFスペクトル帯域を使用するPCell接続およびSCell接続が実現される場合があり、無線アクセス技術(RAT)の標準では共有RFスペクトル帯域を使用するスタンドアロン動作が実現されない場合があるRATに対してLAA通信のいくつかの利点(サポートされるデータ転送速度がWi-Fi単独の場合よりも高くなり、Wi-Fiよりも融通性に富んだマルチキャリアリッスンビフォアトーク(LBT)が実現される)がもたらされる場合がある。他の例では、様々な基地局がUE215に1つまたは複数のCCを与えてもよい。
【００５２】
LAA CAモードでは、データおよび制御信号は、たとえば、専用RFスペクトル帯域において(たとえば、第2のCC225を介して)伝達されてもよく、一方、データは、たとえば、共有RFスペクトル帯域において(たとえば、第1のCC220を介して)伝達されてもよい。代替的に、制御信号はまた、共有RFスペクトル帯域において伝達されてもよい。いくつかの例では、共有RFスペクトル帯域を使用するときにサポートされるキャリアアグリゲーション機構は、ハイブリッド周波数分割複信-時分割複信(FDD-TDD)キャリアアグリゲーション、または、複数のコンポーネントキャリアにわたって異なる対称性を伴うTDD-TDDキャリアアグリゲーションに該当する場合がある。
【００５３】
LAA CAモードを使用するいくつかの例では、CC230は、1つまたは複数のタイミングアドバンスグループ(TAG)として構成されてもよく、それによって、UL/DL送信に関するそれぞれに異なるタイミングアドバンスを有するそれぞれに異なるCC230が得られる場合がある。上述のように、既存のLTE/LTE-Aの展開では、単一のTAGを有するように構成されたUE215は、SRS送信とPUSCH/PUCCH送信が同じキャリア内の同じシンボル内で重なるかまたはそれぞれに異なるキャリアにわたって重なるときはいつでもSRS送信を破棄するものと仮定される。複数のTAGを有するように構成されたUE215については、あるCC上でSRSがスケジューリングされ、異なるCC上でPUSCH/PUCCHがスケジューリングされる場合、UE215は、電力の制限を受けない場合にSRSを送信してもよいことを規定するそれぞれに異なる規則が既存の展開において適用されることがある。UE215が電力の制限を受ける場合、そのような展開におけるSRS送信は破棄される。SRS送信が別のCC上の別のSRS送信と重なり、UE215が電力の制限を受けない場合、SRS送信は、そのような送信に関する通常の電力レベル構成に従って送信されてもよい。UE215は、そのような展開において電力の制限を受ける場合、最大電力(Pcmax)を超えないようにそれぞれに異なる送信について送信電力をスケーリングしてもよい。SRS送信をそのように破棄すると、そのような技法が共有RFスペクトル帯域を使用して実装される場合、特に共有RFスペクトル帯域に関連する競合ベースのチャネルアクセスと組み合わされるときに、SRS送信の過度の破棄が生じることがある。いくつかの展開では、チャネル相互依存ベースのダウンリンク動作が比較的重要な態様であり、アップリンクチャネルが解除された後、効率的なダウンリンク動作を実現するために、可能ならSRSの破棄を回避することが望ましい場合がある。
【００５４】
本開示の様々な態様によれば、共有RFスペクトル帯域を使用する展開におけるSRS送信が行われてもよく、それによってSRS送信の機会が改善される。いくつかの例では、SRS送信は、SRSカバレージ/精度が改善されるように送信帯域幅に対するパワースペクトル密度限界を利用するために比較的大きいシステム帯域幅をカバーするように拡張される。追加または代替として、SRSは、アップリンクCA動作向けには構成されず、ダウンリンクCA動作向けに構成されたアップリンクキャリア上で送信されてもよい。たとえば、UE(たとえば、UE215)は、ダウンリンクCA用に3つのダウンリンクCCを有するように構成されてもよいが、アップリンクCA用には最初の2つのCCのみが構成される。したがって、第3のCCでは、UEによるUL制御またはデータ送信は行われない。しかしながら、SRSは、チャネル相互依存ベースのDL動作を可能にするためにUEによって第3のCC上で送信されてもよい。いくつかの例では、SRS送信は、複数のTAGを有するように共有RFスペクトル帯域における少なくとも1つのアップリンクCCを有するようにUEを構成することによってさらに拡張されてもよく、それによって、SRSが異なるCCのPUCCH/PUSCHと競合する場合でも、UEが電力の制限を受けない場合にはSRSは破棄されない。しかし、場合によっては、(たとえば、処理オーバーヘッドが増大することなどに起因して)CCのセットについて複数のTAGを維持することが望ましくない場合があり、様々な例では、CCのセットについて単一のTAGが構成されてもよく、SRSは、PUCCH/PUSCH送信と衝突する場合でも送信されてもよい。そのようなSRS送信技法は、通常のサブフレームと、SRSが特殊サブフレーム(1つまたは複数のSRSシンボルを提供する場合がある)のアップリンクパイロットタイムスロット(UpPTS)において送信される場合がある特殊サブフレームとの両方に適用される場合がある。
【００５５】
追加または代替として、いくつかの例では、共有RFスペクトル帯域におけるアップリンクCC用の最小保証電力が確保されてもよい。場合によっては、UE215におけるそれぞれに異なる電力増幅器が、専用RFスペクトル帯域におけるアップリンクCCと共有RFスペクトル帯域におけるアップリンクCCとに使用されてもよい。そのような最小保証電力は、UE215が、電力の制限を受ける場合に共有RFスペクトル帯域においてチャネル競合に勝利した後、いくつかのアップリンク送信を行ううえで助けになる場合がある。いくつかの例において、共有RFスペクトル帯域を使用するSRS送信には、専用RFスペクトル帯域において送信される同じタイプのチャネルとは異なる優先順位(たとえば、より高い優先順位)が与えられてもよい。
【００５６】
上記で説明したように、いくつかの例では、1つまたは複数のCC用に共有RFスペクトル帯域を使用して動作するUEは、SRS送信とPUCCH/PUSCH送信が衝突した場合にSRS送信を破棄する可能性を低くすることがある技法を使用してSRSを送信してもよい。図3は、本開示の様々な態様による、SRS315の送信のための第1のCC305およびPUCCHまたはPUSCH送信320の送信のための第2のCC310のリソースの例300を示す。第1のCC305および第2のCC310は、図1または図2を参照しながら説明したUE115または215のうちの1つなどのデバイスによって送信されてもよく、図1または図2を参照しながら説明した基地局105のうちの1つなどの別のデバイスによるそのような送信向けに構成されてもよい。いくつかの例では、第1のCC305および第2のCC310の各々は、たとえば、無線フレームのサブフレームにおいて送信される場合があるいくつかのアップリンクシンボル325を含んでもよい。アップリンク送信またはダウンリンク送信の期間は、送信時間間隔(TTI)と呼ばれることがあり、無線フレーム持続時間(たとえば、10ms)、無線サブフレーム持続時間(たとえば、1ms)、または何らかの他の期間に対応してもよい。
【００５７】
いくつかの例では、UE(たとえば、図1または図2のUE115またはUE215)は、第1のアップリンクCC305および第2のアップリンクCC310または追加のアップリンクCCを使用するワイヤレス通信を確立してもよい。第1のアップリンクCC305または第2のアップリンクCC310の少なくとも一方(あるいは別のアップリンクCC)が共有RFスペクトル帯域を使用し、第1のアップリンクCC305または第2のアップリンクCC310のうちの1つまたは複数が専用RFスペクトル帯域を使用してもよい。CC305および310の各々は、同じTAGに含まれるように構成されてもよく、UEは、SRS送信315が第1のCC305における送信向けにスケジューリングされていることを確認する場合があり、また、SRS送信がPUCCH/PUSCH送信320と同じシンボルに含まれると判定する場合がある。PUCCH/PUSCH送信320はSRS送信315とは異なるCCに含まれるように図示されているが、他の例では、PUCCH/PUSCH送信とSRS送信が同じCCの同じシンボル内で衝突する場合がある。UEは、いくつかの例に応じて、第1のアップリンクCC305を使用してSRS315を送信し、第2のアップリンクCC310を使用してPUCCH/PUSCH送信320を送信してもよい。いくつかの例では、UEはさらに、SRS315およびPUCCH/PUSCH送信320を含むシンボルの間のアップリンク送信が電力の制限を受けないと判定することがあり、通常の電力レベル構成に従ってSRS315を送信する場合がある。他の例では、UEは、アップリンク送信が電力の制限を受けると判定することがあり、その場合、UEは、SRS送信を破棄するか、あるいはいくつかの例に従って、第1のCCの送信向けに設定された最小電力レベルに基づいてSRS315を送信することがある。いくつかの例では、第1のCC305は、専用RFスペクトル帯域を介して送信される場合に第1のCC305に与えられるチャネル優先順位とは異なるチャネル優先順位を使用して共有RFスペクトル帯域を介して送信されてもよい。いくつかのさらなる例では、SRS315は、第1のCC305に使用される共有RFスペクトル帯域の周波数帯域幅にわたるリソース要素(RE)を占有するように構成されてもよく、SRS315のRE位置は、周波数帯域幅のパワースペクトル密度限界に少なくとも部分的に基づいて決定される。
【００５８】
上記で説明したように、いくつかの例では、アップリンクCCの数がダウンリンクCCの数と異なってもよい。図4は、本開示の様々な態様による、ダウンリンク送信向けに構成されておりアップリンクPUSCH送信向けには構成されていないCCを使用してSRSが送信されるワイヤレス通信システム400を示す。ワイヤレス通信システム400は、基地局405とUE415とを含んでもよく、これらは、図1または図2を参照しながら説明した、対応する基地局105または205およびUE115または215の例であってもよい。
【００５９】
図4の例では、ダウンリンクCC420のセットは、ダウンリンクCA動作向けに構成されてもよく、第1のダウンリンクCC420-aと、第2のダウンリンクCC420-bと、第3のダウンリンクCC420-cとを含んでもよい。ダウンリンクCC420は、専用RFスペクトル帯域を使用して送信されても、あるいは共有RFスペクトル帯域を使用して送信されてもよい。いくつかのアップリンクCC425が、アップリンクCA動作向けに構成されてもよく、これらのアップリンクCC425には構成された第1のアップリンク425-aと第2の構成されたアップリンクCC425-bとを含んでもよい。したがって、この例では、ダウンリンクCC420のセットは、構成されたアップリンクCC425とは異なる数のCCを含んでもよい。アップリンクCC425は、ダウンリンクCC420のセットのサブセットに対応してもよく、ダウンリンクCC420およびアップリンクCC425の数は、1つまたは複数のTTIに合わせて構成されてもよく、特定の時点で送信されるべきアップリンクデータおよびダウンリンクデータに基づいてそれぞれに異なるTTIに合わせて調整されてもよい。したがって、アップリンクCC425のセットはダウンリンクCC420のセットとは異なってもよく、アップリンクCC425のセットは、ダウンリンクCC420のセットよりも少ない構成されたCCを含む。図4の例では、UE415は、アップリンクCA送信向けに構成されておらず、CA動作向けに構成されたアップリンクCC425のセットに含まれていない第3のアップリンクCC425-cを使用してSRS送信を送信してもよい。
【００６０】
図5は、本開示の様々な態様による、UE515が共有RFスペクトル帯域においてSRSを送信する場合があるメッセージフロー500を示す図である。各メッセージは、上述のような2つ以上のCCを使用して基地局505とUE515との間で送信されてもよい。基地局505は、図1、図2、または図4を参照しながら説明した基地局105、205、または405の態様の例であることがあり、UE515は、図1、図2、または図4を参照しながら説明したUE115、215、または415の態様の例であることがある。
【００６１】
ブロック520において、基地局505は、UEへの送信用の2つ以上のCCを特定してもよく、これらのCCのうちの少なくとも1つは、共有RFスペクトル帯域を使用する。そのようなCCは、基地局505およびUE515のCA構成およびLAA構成に基づいて特定されてもよく、上述のように1つまたは複数のアップリンクCCと1つまたは複数のダウンリンクCCとを含んでもよい。ブロック525において、基地局505は、上述のように各アップリンクCCを同じTAGに含まれるように構成してもよい。任意のブロック530において、基地局505は、上述のように、SRS送信用の最小電力レベルを設定してもよい。たとえば、SRS送信が共有RFスペクトル帯域におけるアップリンクCCを使用して送信されるべきである場合、基地局505は、UE515がSRSの送信の間電力の制限を受ける場合にUE515によって使用される場合があるアップリンクCCを使用するSRS送信用の最小電力レベルを設定してもよい。基地局505は、UE515に構成情報535を送信してもよく、UE515は、構成情報を受信し、受信された構成情報に従って共有RFスペクトル帯域を使用するCA動作を構成してもよい。
【００６２】
ブロック540において、UE515は、SRSが2つ以上のアップリンクCCのうちの第1のアップリンクCCを使用して第1のシンボルにおいて送信されるべきであることを確認する場合がある。そのような確認は、たとえば、周期的SRS送信の期間に従って行われてもよく、あるいは非周期的SRS送信パラメータに従って行われてもよい。ブロック545において、UE515は、PUCCH/PUSCH送信が2つ以上のアップリンクCCのうちの第2のアップリンクCCを使用して第1のシンボルにおいて送信されるべきであると判定する場合がある。したがって、PUCCH/PUSCH送信とSRS送信は第1のシンボルの間に衝突する。ブロック550において、UE515は、第1のシンボルの間の送信が電力の制限を受けるか否かを判定することがある。送信が電力の制限を受ける場合、UE515は場合によっては、ブロック555に示されているようにSRS送信を破棄してもよく、あるいはいくつかの例では、場合により、ブロック560に示されているように最小設定電力レベルに基づいてSRS送信を設定してもよい。ブロック565において、第1のシンボルの送信が電力の制限を受けないと判定された場合、UEは、通常の電力レベル設定に従ってSRS送信電力を設定してもよい。UE515は次いで、基地局505へのSRS送信およびPUSCH/PUCCH送信を送信してもよい(570)。
【００６３】
図6は、本開示の様々な態様による、ワイヤレス通信において使用するための装置605のブロック図600を示す。装置605は、図1、図2、図4、または図5を参照しながら説明した基地局105、205、405、または505のうちの1つまたは複数の態様の例であってもよい。装置605はまた、プロセッサであることがあり、またはプロセッサを含むことがある。装置605は、レシーバ610、基地局ワイヤレス通信マネージャ620、またはトランスミッタ630を含んでもよい。これらの構成要素の各々は、互いに通信してもよい。
【００６４】
装置605の構成要素は、ハードウェアにおける適用可能な機能の一部またはすべてを実行するように適合された1つまたは複数のASICを使用して、個別に実装されてもよくあるいは集合的に実装されてもよい。代替として、機能は、1つまたは複数の集積回路上で、1つまたは複数の他の処理ユニット(または、コア)によって実行されてもよい。他の例では、他のタイプの集積回路(たとえば、ストラクチャード/プラットフォームASIC、フィールドプログラマブルゲートアレイ(FPGA)、SoC、および/または他のタイプのセミカスタムIC)が使用されることがあり、これらは、当技術分野で知られている任意の方法でプログラムされてもよい。各構成要素の機能はまた、メモリの中に具現化され1つまたは複数の汎用プロセッサまたは特定用途向けプロセッサによって実行されるようにフォーマットされた命令を用いて、全体的に実装されてもよくあるいは部分的に実装されてもよい。
【００６５】
いくつかの例では、レシーバ610は、専用RFスペクトル帯域(たとえば、特定の用途のために特定のユーザに認可されているので送信装置がアクセスをめぐって競合しない場合があるRFスペクトル帯域)、または共有RFスペクトル帯域(たとえば、送信装置がアクセスをめぐって競合する場合があるRFスペクトル帯域(たとえば、Wi-Fi用途などの免許不要の用途に利用することができるRFスペクトル帯域、それぞれに異なる無線アクセス技術による用途に利用することができるRFスペクトル帯域、あるいは複数の事業者による用途に関して平等に共有するかまたは優先順位に従って利用することができるRFスペクトル帯域))を介して送信を受信するように動作可能な少なくとも1つのRFレシーバなどの、少なくとも1つのRFレシーバを含んでもよい。いくつかの例では、専用RFスペクトル帯域または共有RFスペクトル帯域は、たとえば、図1、図2、図3、図4、または図5を参照しながら説明したように、LTE/LTE-A通信のために使用されてもよい。レシーバ610は、場合によっては、専用RFスペクトル帯域および共有RFスペクトル帯域用の別々のレシーバを含んでもよい。いくつかの例では、別々のレシーバが、専用RFスペクトル帯域を介して通信するためのLTE/LTE-Aレシーバ(たとえば、専用RFスペクトル帯域用のLTE/LTE-Aレシーバ612)、および共有RFスペクトル帯域を介して通信するためのLTE/LTE-Aレシーバ(たとえば、共有RFスペクトル帯域用のLTE/LTE-Aレシーバ614)の形態をとってもよい。専用RFスペクトル帯域用のLTE/LTE-Aレシーバ612または共有RFスペクトル帯域用のLTE/LTE-Aレシーバ614を含むレシーバ610は、図1、図2、または図4を参照しながら説明したワイヤレス通信システム100、200、または400の1つまたは複数の通信リンクなどの、ワイヤレス通信システムの1つまたは複数の通信リンクを介して、様々なタイプのデータまたは制御信号(すなわち、送信)を受信するために使用されてもよい。通信リンクは、専用RFスペクトル帯域を介して確立されてもよく、あるいは共有RFスペクトル帯域を介して確立されてもよい。
【００６６】
いくつかの例では、トランスミッタ630は、専用RFスペクトル帯域または共有RFスペクトル帯域を介して送信するように動作可能な少なくとも1つのRFトランスミッタなどの、少なくとも1つのRFトランスミッタを含んでもよい。レシーバ630は、場合によっては、専用RFスペクトル帯域および共有RFスペクトル帯域用の別々のトランスミッタを含んでもよい。いくつかの例では、別々のトランスミッタが、専用RFスペクトル帯域を介して通信するためのLTE/LTE-Aトランスミッタ(たとえば、専用RFスペクトル帯域用のLTE/LTE-Aトランスミッタ632)、および共有RFスペクトル帯域を介して通信するためのLTE/LTE-Aトランスミッタ(たとえば、共有RFスペクトル帯域用のLTE/LTE-Aトランスミッタ634)の形態をとってもよい。専用RFスペクトル帯域用のLTE/LTE-Aトランスミッタ632または共有RFスペクトル帯域用のLTE/LTE-Aトランスミッタ634を含むトランスミッタ630は、図1、図2、または図4を参照しながら説明したワイヤレス通信システム100、200、または400の1つまたは複数の通信リンクなどの、ワイヤレス通信システムの1つまたは複数の通信リンクを介して、様々なタイプのデータまたは制御信号(すなわち、「データ」または送信)を送信するために使用されてもよい。通信リンクは、専用RFスペクトル帯域を介して確立されてもよくあるいは共有RFスペクトル帯域を介して確立されてもよい。
【００６７】
いくつかの例では、基地局ワイヤレス通信マネージャ620は、装置605に関するワイヤレス通信の1つまたは複数の態様を管理するために使用されてもよい。いくつかの例では、基地局ワイヤレス通信マネージャ620の一部は、レシーバ610またはトランスミッタ630に組み込まれることがあり、あるいはそれらと共有されることがある。いくつかの例では、基地局ワイヤレス通信マネージャ620は、コンポーネントキャリアマネージャ635と、タイミングアドバンスグループマネージャ640と、構成情報マネージャ645とを含んでもよい。
【００６８】
いくつかの例では、コンポーネントキャリアマネージャ635は、図1〜図5に関して上記において説明したように、ワイヤレス通信ネットワークにおける2つ以上のアップリンクCCを使用するUE(たとえば、図1、図2、図4、または図5のUE115、215、415、または515)におけるワイヤレス通信を構成するために使用されてもよく、2つ以上のアップリンクCCのうちの少なくとも1つが共有RFスペクトル帯域を使用する。いくつかの例では、トランスミッタ630は、コンポーネントキャリアマネージャ635と連携して、CCをアップリンク送信向けに構成するための構成情報をUEに送信してもよい。タイミングアドバンスグループマネージャ640は、図1〜図5に関して上記において説明したように2つ以上のアップリンクCCを同じTAGに含まれるように構成するために使用されてもよい。
【００６９】
構成情報マネージャ645は、コンポーネントキャリア構成およびTAG構成に少なくとも部分的に基づいて構成情報を決定してもよく、2つ以上のアップリンクCCのうちの第2のアップリンクCCを使用して第1のシンボルの間に送信されるべきPUSCH送信またはPUCCH送信のうちの1つまたは複数と同時に、2つ以上のアップリンクCCのうちの第1のアップリンクCCを使用して第1のシンボルにおいて送信されるようにSRSを構成してもよい。いくつかの例では、構成情報マネージャ645は、無線フレームの通常のアップリンクサブフレームの間または無線フレームの特殊サブフレームの間(たとえば、特殊サブフレームのアップリンクパイロットタイムスロット(UpPTS)の間)に送信されるようにSRSを構成してもよい。
【００７０】
図7は、本開示の様々な態様による、ワイヤレス通信において使用される装置705のブロック図700を示す。装置705は、図1、図2、図4、または図5を参照しながら説明した基地局105、205、405、または505のうちの1つまたは複数の態様、あるいは図6を参照しながら説明した装置605の態様の例であってもよい。装置705はまた、プロセッサであることがあり、またはプロセッサを含むことがある。装置705は、レシーバ710、基地局ワイヤレス通信マネージャ720、またはトランスミッタ730を含んでもよい。これらの構成要素の各々は、互いに通信してもよい。
【００７１】
装置705の構成要素は、ハードウェアにおける適用可能な機能の一部またはすべてを実行するように適合された1つまたは複数のASICを使用して、個別に実装されてもよくあるいは集合的に実装されてもよい。代替として、機能は、1つまたは複数の集積回路上で、1つまたは複数の他の処理ユニット(または、コア)によって実行されてもよい。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされてもよい。各構成要素の機能はまた、メモリの中に具現化され1つまたは複数の汎用プロセッサまたは特定用途向けプロセッサによって実行されるようにフォーマットされた命令を用いて、全体的に実装されてもよくあるいは部分的に実装されてもよい。
【００７２】
いくつかの例では、レシーバ710は、専用RFスペクトル帯域(たとえば、特定の用途のために特定のユーザに認可されているので送信装置がアクセスをめぐって競合しない場合があるRFスペクトル帯域)、または共有RFスペクトル帯域(たとえば、送信装置がアクセスをめぐって競合する場合があるRFスペクトル帯域(たとえば、Wi-Fi用途などの免許不要の用途に使用することができるRFスペクトル帯域、それぞれに異なる無線アクセス技術によって使用することができるRFスペクトル帯域、あるいは複数の事業者によって平等に共有するかまたは優先順位に従って使用することができるRFスペクトル帯域))を介して送信を受信するように動作可能な少なくとも1つのRFレシーバなどの、少なくとも1つのRFレシーバを含んでもよい。いくつかの例では、専用RFスペクトル帯域または共有RFスペクトル帯域は、たとえば、図1、図2、図3、図4、または図5を参照しながら説明したように、LTE/LTE-A通信のために使用されてもよい。レシーバ710は、場合によっては、専用RFスペクトル帯域および共有RFスペクトル帯域用の別々のレシーバを含んでもよい。いくつかの例では、別々のレシーバが、専用RFスペクトル帯域を介して通信するためのLTE/LTE-Aレシーバ(たとえば、専用RFスペクトル帯域用のLTE/LTE-Aレシーバ712)、および共有RFスペクトル帯域を介して通信するためのLTE/LTE-Aレシーバ(たとえば、共有RFスペクトル帯域用のLTE/LTE-Aレシーバ714)の形態をとってもよい。専用RFスペクトル帯域用のLTE/LTE-Aレシーバ712または共有RFスペクトル帯域用のLTE/LTE-Aレシーバ714を含むレシーバ710は、図1、図2、または図4を参照しながら説明したワイヤレス通信システム100、200、または400の1つまたは複数の通信リンクなどの、ワイヤレス通信システムの1つまたは複数の通信リンクを介して、様々なタイプのデータまたは制御信号(すなわち、送信)を受信するために使用されてもよい。通信リンクは、専用RFスペクトル帯域を介して確立されてもよく、あるいは共有RFスペクトル帯域を介して確立されてもよい。
【００７３】
いくつかの例では、トランスミッタ730は、専用RFスペクトル帯域または共有RFスペクトル帯域を介して送信するように動作可能な少なくとも1つのRFトランスミッタなどの、少なくとも1つのRFトランスミッタを含んでもよい。レシーバ730は、場合によっては、専用RFスペクトル帯域および共有RFスペクトル帯域用の別々のトランスミッタを含んでもよい。いくつかの例では、別々のトランスミッタが、専用RFスペクトル帯域を介して通信するためのLTE/LTE-Aトランスミッタ(たとえば、専用RFスペクトル帯域用のLTE/LTE-Aトランスミッタ732)、および共有RFスペクトル帯域を介して通信するためのLTE/LTE-Aトランスミッタ(たとえば、共有RFスペクトル帯域用のLTE/LTE-Aトランスミッタ734)の形態をとってもよい。専用RFスペクトル帯域用のLTE/LTE-Aトランスミッタ732または共有RFスペクトル帯域用のLTE/LTE-Aトランスミッタ734を含むトランスミッタ730は、図1、図2、または図4を参照しながら説明したワイヤレス通信システム100、200、または400の1つまたは複数の通信リンクなどの、ワイヤレス通信システムの1つまたは複数の通信リンクを介して、様々なタイプのデータまたは制御信号(すなわち、「データ」または送信)を送信するために使用されてもよい。通信リンクは、専用RFスペクトル帯域を介して確立されてもよく、あるいは共有RFスペクトル帯域を介して確立されてもよい。
【００７４】
いくつかの例では、基地局ワイヤレス通信マネージャ720は、装置705のワイヤレス通信の1つまたは複数の態様を管理するために使用されてもよい。いくつかの例では、基地局ワイヤレス通信マネージャ720の一部は、レシーバ710またはトランスミッタ730に組み込まれることがあり、あるいはそれらと共有されることがある。いくつかの例では、基地局ワイヤレス通信マネージャ720は、コンポーネントキャリアマネージャ735と、タイミングアドバンスグループマネージャ740と、構成情報マネージャ745とを含んでもよい。いくつかの例では、基地局ワイヤレス通信マネージャ720はまた、任意のチャネル優先順位構成マネージャ765を含んでもよい。
【００７５】
コンポーネントキャリアマネージャ735は、図6のコンポーネントキャリアマネージャ635の一例であってもよく、また、UL/DLコンポーネントキャリアマネージャ750と送信電力マネージャ755とを含んでもよい。いくつかの例では、UL/DLコンポーネントキャリアマネージャ750は、UEのCA構成を管理し、UEに関するアップリンクCCのセットおよびダウンリンクCCのセットを構成してもよい。いくつかの例では、UL/DLコンポーネントキャリアマネージャ750は、2つ以上のアップリンクCCを含むアップリンクCCの第1のセットを送信時間間隔(TTI)の間のアップリンク送信用に割り振り、アップリンクCCの第1のセットとは異なるCCを含むダウンリンクCCの第2のセットを使用するダウンリンク送信を管理してもよい。いくつかの例では、構成情報マネージャ745は、アップリンクCCの第1のセットに含まれないダウンリンクCCの第2のセットのCCを使用して送信されるようにSRSを構成してもよい。いくつかの例では、第1のCCと第2のCCは異なるCCである。
【００７６】
送信電力マネージャ755は、いくつかの例では、図1〜図5に関して上記において説明したように、2つ以上のアップリンクCCを使用する第1のシンボルの間のSRS送信が電力の制限を受けるときに使用すべき最小送信電力レベルに基づいてSRS送信を構成してもよい。タイミングアドバンスグループマネージャ740は、図6のタイミングアドバンスグループマネージャ640の一例であってもよく、図6に関して上記において説明したように動作を実行してもよい。
【００７７】
構成情報マネージャ745は、図6の構成情報マネージャ645の一例であってもよく、また、周波数リソースマネージャ760を含んでもよい。いくつかの例では、周波数リソースマネージャ760は、図1〜図5に関して上記において説明したようにSRSを第1のシンボルの周波数帯域幅にわたるように構成してもよい。たとえば、SRS用の周波数帯域幅は、周波数帯域幅のパワースペクトル密度限界に少なくとも部分的に基づいて設定されてもよい。
【００７８】
いくつかの例では、任意のチャネル優先順位構成情報765は、専用RFスペクトル帯域を介して送信されるべき第2のCCを送信するためのチャネル優先順位とは異なるチャネル優先順位を使用して共有RFスペクトル帯域を介して送信されるように第1のアップリンクCCを構成してもよい。
【００７９】
図8は、本開示の様々な態様による、ワイヤレス通信において使用される装置815のブロック図800を示す。装置815は、図1、図2、図4、または図5を参照しながら説明したUE115、215、415、または515のうちの1つまたは複数の態様の例であってもよい。装置815はまた、プロセッサであることがあり、またはプロセッサを含むことがある。装置815は、レシーバ810、UEワイヤレス通信マネージャ820、またはトランスミッタ830を含んでもよい。これらの構成要素の各々は、互いに通信してもよい。
【００８０】
装置815の構成要素は、ハードウェアにおける適用可能な機能の一部またはすべてを実行するように適合された1つまたは複数のASICを使用して、個別に実装されてもよくあるいは集合的に実装されてもよい。代替として、機能は、1つまたは複数の集積回路上で、1つまたは複数の他の処理ユニット(または、コア)によって実行されてもよい。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされてもよい。各構成要素の機能はまた、メモリの中に具現化され1つまたは複数の汎用プロセッサまたは特定用途向けプロセッサによって実行されるようにフォーマットされた命令を用いて、全体的に実装されてもよくあるいは部分的に実装されてもよい。
【００８１】
いくつかの例では、レシーバ810は、専用RFスペクトル帯域(たとえば、特定の用途のために特定のユーザに認可されているので送信装置がアクセスをめぐって競合しない場合があるRFスペクトル帯域)、または共有RFスペクトル帯域(たとえば、送信装置がアクセスをめぐって競合する場合があるRFスペクトル帯域(たとえば、Wi-Fi用途などの免許不要の用途に利用することができるRFスペクトル帯域、それぞれに異なる無線アクセス技術による用途に利用することができるRFスペクトル帯域、あるいは複数の事業者による用途に関して平等に共有するかまたは優先順位に従って利用することができるRFスペクトル帯域))を介して送信を受信するように動作可能な少なくとも1つのRFレシーバなどの、少なくとも1つのRFレシーバを含んでもよい。いくつかの例では、専用RFスペクトル帯域または共有RFスペクトル帯域は、たとえば、図1、図2、図3、図4、または図5を参照しながら説明したように、LTE/LTE-A通信のために使用されてもよい。レシーバ810は、場合によっては、専用RFスペクトル帯域および共有RFスペクトル帯域用の別々のレシーバを含んでもよい。いくつかの例では、別々のレシーバが、専用RFスペクトル帯域を介して通信するためのLTE/LTE-Aレシーバ(たとえば、専用RFスペクトル帯域用のLTE/LTE-Aレシーバ812)、および共有RFスペクトル帯域を介して通信するためのLTE/LTE-Aレシーバ(たとえば、共有RFスペクトル帯域用のLTE/LTE-Aレシーバ814)の形態をとってもよい。専用RFスペクトル帯域用のLTE/LTE-Aレシーバ812または共有RFスペクトル帯域用のLTE/LTE-Aレシーバ814を含むレシーバ810は、図1、図2、または図4を参照しながら説明したワイヤレス通信システム100、200、または400の1つまたは複数の通信リンクなどの、ワイヤレス通信システムの1つまたは複数の通信リンクを介して、様々なタイプのデータまたは制御信号(すなわち、「データ」または送信)を受信するために使用されてもよい。通信リンクは、専用RFスペクトル帯域を介して確立されてもよく、あるいは共有RFスペクトル帯域を介して確立されてもよい。
【００８２】
いくつかの例では、トランスミッタ830は、専用RFスペクトル帯域または共有RFスペクトル帯域を介して送信するように動作可能な少なくとも1つのRFトランスミッタなどの、少なくとも1つのRFトランスミッタを含んでもよい。トランスミッタ830は、場合によっては、専用RFスペクトル帯域および共有RFスペクトル帯域用の別々のトランスミッタを含んでもよい。いくつかの例では、別々のトランスミッタが、専用RFスペクトル帯域を介して通信するためのLTE/LTE-Aトランスミッタ(たとえば、専用RFスペクトル帯域用のLTE/LTE-Aトランスミッタ832)、および共有RFスペクトル帯域を介して通信するためのLTE/LTE-Aトランスミッタ(たとえば、共有RFスペクトル帯域用のLTE/LTE-Aトランスミッタ834)の形態をとってもよい。専用RFスペクトル帯域用のLTE/LTE-Aトランスミッタ832または共有RFスペクトル帯域用のLTE/LTE-Aトランスミッタ834を含むトランスミッタ830は、図1、図2、または図4を参照しながら説明したワイヤレス通信システム100、200、または400の1つまたは複数の通信リンクなどの、ワイヤレス通信システムの1つまたは複数の通信リンクを介して、様々なタイプのデータまたは制御信号(すなわち、「データ」または送信)を送信するために使用されてもよい。通信リンクは、専用RFスペクトル帯域を介して確立されてもよく、あるいは共有RFスペクトル帯域を介して確立されてもよい。
【００８３】
いくつかの例では、UEワイヤレス通信マネージャ820は、装置815に関するワイヤレス通信の1つまたは複数の態様を管理するために使用されてもよい。いくつかの例では、UEワイヤレス通信マネージャ820の一部は、レシーバ810またはトランスミッタ830に組み込まれることがあり、あるいはそれらと共有されることがある。いくつかの例では、UEワイヤレス通信マネージャ820は、コンポーネントキャリアマネージャ835、タイミングアドバンスグループマネージャ840、またはSRSマネージャ845を含んでもよい。
【００８４】
コンポーネントキャリアマネージャ835は、図1〜図5に関して上記において説明したように、ワイヤレス通信ネットワークにおける2つ以上のアップリンクCCを使用するワイヤレス通信を確立するために使用されてもよく、2つ以上のアップリンクCCのうちの少なくとも1つが共有RFスペクトル帯域を使用する。いくつかの例では、第1のアップリンクCCは共有RFスペクトル帯域の一部であってもよい。他の例では、第1のアップリンクCCは共有RFスペクトル帯域の一部ではない。タイミングアドバンスグループマネージャ840は、2つ以上のアップリンクCCの各々が同じTAGに含まれるように構成されることを確認するために使用されてもよい。
【００８５】
SRSマネージャ845は、SRSが2つ以上のアップリンクCCのうちの第1のアップリンクCCを使用して第1のシンボルにおいて送信されるべきであることを確認し、PUSCH送信またはPUCCH送信のうちの1つまたは複数が2つ以上のアップリンクCCのうちの第2のアップリンクCCを使用して第1のシンボルにおいて送信されるべきであると判定するために使用されてもよく、トランスミッタ830と連携して、第1のアップリンクCCを使用するSRSおよび第2のアップリンクCCを使用するPUSCHまたはPUCCHのうちの1つまたは複数を第1のシンボルにおいて送信してもよい。いくつかの例では、SRSは、無線フレームの通常のアップリンクサブフレームの間に送信されてもよい。他の例では、SRSは、無線フレームの特殊サブフレームの間に(たとえば、特殊サブフレームのUpPTSの間に2つ以上のSRSシンボルにおいて)送信されてもよい。
【００８６】
図9は、本開示の様々な態様による、ワイヤレス通信において使用される装置915のブロック図900を示す。装置915は、図1、図2、図4、または図5を参照しながら説明したUE115、215、415、または515のうちの1つまたは複数の態様、あるいは図8を参照しながら説明した装置815の態様の例であってもよい。装置915はまた、プロセッサであることがあり、またはプロセッサを含むことがある。装置915は、レシーバ910、UEワイヤレス通信マネージャ920、またはトランスミッタ930を含んでもよい。これらの構成要素の各々は、互いに通信してもよい。
【００８７】
装置915の構成要素は、ハードウェアにおける適用可能な機能の一部またはすべてを実行するように適合された1つまたは複数のASICを使用して、個別に実装されてもよくあるいは集合的に実装されてもよい。代替として、機能は、1つまたは複数の集積回路上で、1つまたは複数の他の処理ユニット(または、コア)によって実行されてもよい。他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされてもよい。各構成要素の機能はまた、メモリの中に具現化され1つまたは複数の汎用プロセッサまたは特定用途向けプロセッサによって実行されるようにフォーマットされた命令を用いて、全体的または部分的に実装されてもよい。
【００８８】
いくつかの例では、レシーバ910は、専用RFスペクトル帯域(たとえば、特定の用途のために特定のユーザに認可されているので送信装置がアクセスをめぐって競合しない場合があるRFスペクトル帯域)、または共有RFスペクトル帯域(たとえば、送信装置がアクセスをめぐって競合する場合があるRFスペクトル帯域(たとえば、Wi-Fi用途などの免許不要の用途に利用することができるRFスペクトル帯域、それぞれに異なる無線アクセス技術による用途に利用することができるRFスペクトル帯域、あるいは複数の事業者による用途に関して平等に共有するかまたは優先順位に従って利用することができるRFスペクトル帯域))を介して送信を受信するように動作可能な少なくとも1つのRFレシーバなどの、少なくとも1つのRFレシーバを含んでもよい。いくつかの例では、専用RFスペクトル帯域または共有RFスペクトル帯域は、たとえば、図1、図2、図3、図4、または図5を参照しながら説明したように、LTE/LTE-A通信のために使用されてもよい。レシーバ910は、場合によっては、専用RFスペクトル帯域および共有RFスペクトル帯域用の別々のレシーバを含んでもよい。いくつかの例では、別々のレシーバが、専用RFスペクトル帯域を介して通信するためのLTE/LTE-Aレシーバ(たとえば、専用RFスペクトル帯域用のLTE/LTE-Aレシーバ912)、および共有RFスペクトル帯域を介して通信するためのLTE/LTE-Aレシーバ(たとえば、共有RFスペクトル帯域用のLTE/LTE-Aレシーバ914)の形態をとってもよい。専用RFスペクトル帯域用のLTE/LTE-Aレシーバ912または共有RFスペクトル帯域用のLTE/LTE-Aレシーバ914を含むレシーバ910は、図1または図2を参照しながら説明したワイヤレス通信システム100または200の1つまたは複数の通信リンクなどの、ワイヤレス通信システムの1つまたは複数の通信リンクを介して、様々なタイプのデータまたは制御信号(すなわち、「データ」または送信)を受信するために使用されてもよい。通信リンクは、専用RFスペクトル帯域を介して確立されてもよく、あるいは共有RFスペクトル帯域を介して確立されてもよい。
【００８９】
いくつかの例では、トランスミッタ930は、専用RFスペクトル帯域または共有RFスペクトル帯域を介して送信するように動作可能な少なくとも1つのRFトランスミッタなどの、少なくとも1つのRFトランスミッタを含んでもよい。トランスミッタ930は、場合によっては、専用RFスペクトル帯域および共有RFスペクトル帯域用の別々のトランスミッタを含んでもよい。いくつかの例では、別々のトランスミッタが、専用RFスペクトル帯域を介して通信するためのLTE/LTE-Aトランスミッタ(たとえば、専用RFスペクトル帯域用のLTE/LTE-Aトランスミッタ932)、および共有RFスペクトル帯域を介して通信するためのLTE/LTE-Aトランスミッタ(たとえば、共有RFスペクトル帯域用のLTE/LTE-Aトランスミッタ934)の形態をとってもよい。専用RFスペクトル帯域用のLTE/LTE-Aトランスミッタ932または共有RFスペクトル帯域用のLTE/LTE-Aトランスミッタ934を含むトランスミッタ930は、図1または図2を参照しながら説明したワイヤレス通信システム100または200の1つまたは複数の通信リンクなどの、ワイヤレス通信システムの1つまたは複数の通信リンクを介して、様々なタイプのデータまたは制御信号(すなわち、「データ」または送信)を送信するために使用されてもよい。通信リンクは、専用RFスペクトル帯域を介して確立されてもよく、あるいは共有RFスペクトル帯域を介して確立されてもよい。
【００９０】
いくつかの例では、UEワイヤレス通信マネージャ920は、装置915に関するワイヤレス通信の1つまたは複数の態様を管理するために使用されてもよい。いくつかの例では、UEワイヤレス通信マネージャ920の一部は、レシーバ910またはトランスミッタ930に組み込まれることがあり、あるいはそれらと共有されることがある。いくつかの例では、UEワイヤレス通信マネージャ920は、コンポーネントキャリアマネージャ935、タイミングアドバンスグループマネージャ940、またはSRSマネージャ945を含んでもよい。UEワイヤレス通信マネージャ920はまた、いくつかの例では、任意のチャネル優先順位マネージャ965を含んでもよい。
【００９１】
コンポーネントキャリアマネージャ935は、図8のコンポーネントキャリアマネージャ835の一例であってもよく、また、送信電力マネージャ950を含んでもよい。いくつかの例では、送信電力マネージャ950は、2つ以上のアップリンクCCを使用する第1のシンボルの間の送信が電力の制限を受けないと判定することがあり、通常の電力レベル設定技法を使用してSRSの送信電力を供給する場合がある。いくつかの例では、送信電力マネージャ950は、2つ以上のアップリンクCCを使用する第1のシンボルの間の送信が電力の制限を受けると判定することがあり、SRSの送信を破棄する場合がある。他の例では、送信電力マネージャ950は、2つ以上のアップリンクCCを使用する第1のシンボルの間の送信が電力の制限を受けると判定し、第1のCCの送信向けに設定された最小電力レベルに基づいてSRSを送信する場合がある。タイミングアドバンスグループマネージャ940は、図8のタイミングアドバンスグループマネージャ840の一例であってもよく、同様の機能を実行してもよい。
【００９２】
SRSマネージャ945は、図8のSRSマネージャ845の一例であってもよく、同様の機能を実行してもよい。いくつかの例では、SRSマネージャ945は、周波数リソースマネージャ955またはUL SRS CCマネージャ960を含んでもよい。周波数リソースマネージャ955は、いくつかの例では、SRSを第1のシンボルの周波数帯域幅にわたるようにフォーマッティングしてもよい。たとえば、そのようなフォーマッティングは、周波数帯域幅のパワースペクトル密度限界に少なくとも部分的に基づいてもよい。
【００９３】
UL SRS CCマネージャは、いくつかの例では、2つ以上のアップリンクCCが、TTIの間のアップリンク送信用に割り振られたアップリンクCCの第1のセットを含むと判定することがあり、トランスミッタ930と連携して、アップリンクCCの第1のセットを使用してPUCCH送信またはPUSCH送信のうちの1つまたは複数を送信し、アップリンクCCの第1のセットには含まれない異なるアップリンクCCを使用してSRSを送信する場合がある。いくつかの例では、異なるアップリンクCCは、ダウンリンクCCの第2のセットに関連するCCであり、アップリンクCCの第1のセットは、ダウンリンクCCの第2のセットよりも少ないCCを含む。いくつかの例では、第1のCCと第2のCCは異なるCCである。
【００９４】
任意のチャネル優先順位マネージャ965は、いくつかの例では、専用RFスペクトル帯域を介してCCを使用してSRSを送信するためのチャネル優先順位とは異なるチャネル優先順位を使用し、共有RFスペクトル帯域を介して第1のアップリンクCCを使用してSRSを送信してもよい。
【００９５】
図10は、本開示の様々な態様による、ワイヤレス通信において使用される基地局1005(たとえば、eNBの一部またはすべてを形成する基地局)のブロック図1000を示す。いくつかの例では、基地局1005は、図1、図2、図4、もしくは図5を参照しながら説明した基地局105、205、405、または505のうちの1つまたは複数の態様、あるいは図6または図7を参照しながら説明した装置605または705の態様の例であってもよい。基地局1005は、図1、図2、図3、図4、図5、図6、または図7を参照しながら説明した、基地局の技法および機能の少なくとも一部を実装または支援するように構成されてもよい。
【００９６】
基地局1005は、基地局プロセッサ1010、基地局メモリ1020、(基地局トランシーバ1050によって代表される)少なくとも1つの基地局トランシーバ、(基地局アンテナ1055によって代表される)少なくとも1つの基地局アンテナ、または基地局ワイヤレス通信マネージャ1060を含んでもよい。基地局1005はまた、基地局通信器1030またはネットワーク通信器1040のうちの1つまたは複数を含んでもよい。これらの構成要素の各々は、1つまたは複数のバス1035を介して、直接または間接的に、互いに通信してもよい。
【００９７】
基地局メモリ1020は、ランダムアクセスメモリ(RAM)または読取り専用メモリ(ROM)を含んでもよい。基地局メモリ1020は、実行されると、基地局プロセッサ1010に、たとえば、共有RFスペクトル帯域または専用RFスペクトル帯域においてSRSの送信向けにUEを構成することと、そのような送信されたSRS送信を受信することとを含む、ワイヤレス通信に関して本明細書において説明した様々な機能を実行させるように構成された命令を含む、コンピュータ可読のコンピュータ実行可能コード1025を記憶してもよい。代替的に、コンピュータ実行可能コード1025は、基地局プロセッサ1010によって直接実行できないことがあるが、(たとえば、コンパイルされ実行されると)本明細書において説明した様々な機能を基地局1005に実行させるように構成されることがある。
【００９８】
基地局プロセッサ1010は、インテリジェントハードウェアデバイス、たとえば中央処理装置(CPU)、マイクロコントローラ、ASICなどを含んでもよい。基地局プロセッサ1010は、基地局トランシーバ1050、基地局通信器1030、またはネットワーク通信器1040を通じて受信された情報を処理してもよい。基地局プロセッサ1010はまた、アンテナ1055を通じた送信のためにトランシーバ1050に送られるべき情報、1つまたは複数の他の基地局(たとえば、基地局1005-aおよび基地局1005-b)への送信のために基地局通信器1030に送られるべき情報、または、図1を参照しながら説明したコアネットワーク130の1つまたは複数の態様の例である場合がある、コアネットワーク1045への送信のためにネットワーク通信器1040に送られるべき情報を処理してもよい。基地局プロセッサ1010は、単独で、または基地局ワイヤレス通信マネージャ1060とともに、専用RFスペクトル帯域または共有RFスペクトル帯域を介して通信する(またはそれを介した通信を管理する)様々な態様を扱ってもよい。専用RFスペクトル帯域は、送信装置がアクセスをめぐって競合しない場合があるRFスペクトル帯域(たとえば、LTE/LTE-A通信のために使用可能な認可RFスペクトル帯域などの、特定の用途のために特定のユーザに認可されているRFスペクトル帯域)を含んでもよい。共有RFスペクトル帯域は、送信装置がアクセスをめぐって競合する場合があるRFスペクトル帯域(たとえば、Wi-Fi用途などの免許不要の用途に利用することができるRFスペクトル帯域、それぞれに異なる無線アクセス技術による用途に利用することができるRFスペクトル帯域、あるいは複数の事業者による用途に関して平等に共有するかまたは優先順位に従って利用することができるRFスペクトル帯域)を含んでもよい。
【００９９】
基地局トランシーバ1050は、パケットを変調し、変調されたパケットを送信のために基地局アンテナ1055に与え、基地局アンテナ1055から受信されたパケットを復調するように構成されたモデムを含んでもよい。基地局トランシーバ1050は、いくつかの例では、1つまたは複数の基地局トランスミッタおよび1つまたは複数の別々の基地局レシーバとして実装されてもよい。基地局トランシーバ1050は、専用RFスペクトル帯域または共有RFスペクトル帯域における通信をサポートしてもよい。基地局トランシーバ1050は、図1、図2、または図5を参照しながら説明したUE115、215、または515のうちの1つまたは複数、あるいは図8または図9を参照しながら説明した装置815または915のうちの1つまたは複数などの、1つまたは複数のUEまたは装置と、アンテナ1055を介して双方向に通信するように構成されてもよい。たとえば、基地局1005は、複数の基地局アンテナ1055(たとえば、アンテナアレイ)を含んでもよい。基地局1005は、ネットワーク通信器1040を通じてコアネットワーク1045と通信してもよい。基地局1005はまた、基地局通信器1030を使用して、基地局1005-aおよび基地局1005-bなどの他の基地局と通信してもよい。
【０１００】
基地局ワイヤレス通信マネージャ1060は、専用RFスペクトル帯域または共有RFスペクトル帯域を介したワイヤレス通信に関する、図1、図2、図3、図4、図5、図6、または図7を参照しながら説明した技法または機能の一部またはすべてを、実行または制御するように構成されてもよい。たとえば、基地局ワイヤレス通信マネージャ1060は、本明細書において説明するように共有RFスペクトル帯域または専用RFスペクトル帯域における1つまたは複数のUEのSRS送信の構成および管理を行うように構成されてもよい。基地局ワイヤレス通信マネージャ1060は、専用RFスペクトル帯域におけるLTE/LTE-A通信を扱うように構成される専用RFスペクトル帯域用の基地局LTE/LTE-A構成要素1065と、共有RFスペクトル帯域におけるLTE/LTE-A通信を扱うように構成される共有RFスペクトル帯域用の基地局LTE/LTE-A構成要素1070とを含んでもよい。基地局ワイヤレス通信マネージャ1060またはその一部がプロセッサを含むことがあり、あるいは基地局ワイヤレス通信マネージャ1060の機能の一部またはすべてが、基地局プロセッサ1010によって実行されてもよく、あるいは基地局プロセッサ1010と連携して実行されてもよい。いくつかの例では、基地局ワイヤレス通信マネージャ1060は、図6または図7を参照しながら説明した基地局ワイヤレス通信マネージャ620または720の一例であってもよい。
【０１０１】
図11は、本開示の様々な態様による、ワイヤレス通信において使用されるUE1115のブロック図1100を示す。UE1115は、パーソナルコンピュータ(たとえば、ラップトップコンピュータ、ネットブックコンピュータ、タブレットコンピュータなど)、携帯電話、PDA、DVR、インターネットアプライアンス、ゲームコンソール、電子書籍リーダなどに含まれることがあり、またはそれらの一部であることがある。いくつかの例では、UE1115は、モバイル動作を容易にするために、小型バッテリーなどの内部電源(図示せず)を有してもよい。UE1115は、図1、図2、図4、または図5を参照しながら説明したUE115、215、415、または515のうちの1つまたは複数の態様、あるいは図8または図9を参照しながら説明した装置815または915の態様の例であってもよい。UE1115は、図1、図2、図3、図4、図5、図8、または図9を参照しながら説明した、UEまたは装置の技法および機能の少なくとも一部を実装するように構成されてもよい。
【０１０２】
UE1115は、UEプロセッサ1110、UEメモリ1120、少なくとも1つのUEトランシーバ(UEトランシーバ1130によって代表される)、少なくとも1つのUEアンテナ(UEアンテナ1140によって代表される)、またはUEワイヤレス通信マネージャ1150を含んでもよい。これらの構成要素の各々は、1つまたは複数のバス1135を介して、直接または間接的に、互いに通信してもよい。
【０１０３】
メモリ1120は、RAMまたはROMを含んでもよい。UEメモリ1120は、実行されると、UEプロセッサ1110に、たとえば、本明細書において説明したような共有RFスペクトル帯域を使用するSRSの送信を含むワイヤレス通信に関する、本明細書において説明した様々な機能を実施させるように構成された命令を含む、コンピュータ可読のコンピュータ実行可能コード1125を記憶してもよい。代替的に、コンピュータ実行可能コード1125は、UEプロセッサ1110によって直接実行可能ではないことがあるが、(たとえば、コンパイルされ実行されると)本明細書において説明された様々な機能をUE1115に実行させるように構成されることがある。
【０１０４】
UEプロセッサ1110は、インテリジェントハードウェアデバイス、たとえば、CPU、マイクロコントローラ、ASICなどを含んでもよい。UEプロセッサ1110は、UEトランシーバ1130を通じて受信された情報、または、UEアンテナ1140を通じた送信のためにUEトランシーバ1130に送られるべき情報を処理してもよい。UEプロセッサ1110は、単独で、またはUEワイヤレス通信マネージャ1150とともに、専用RFスペクトル帯域または共有RFスペクトル帯域を介して通信する(またはそれを介した通信を管理する)様々な態様を扱ってもよい。専用RFスペクトル帯域は、送信装置がアクセスをめぐって競合しない場合があるRFスペクトル帯域(たとえば、LTE/LTE-A通信のために使用可能な認可RFスペクトル帯域などの、特定の用途のために特定のユーザに認可されているRFスペクトル帯域)を含んでもよい。共有RFスペクトル帯域は、送信装置がアクセスをめぐって競合する場合があるRFスペクトル帯域(たとえば、Wi-Fi用途などの免許不要の用途に利用することができるRFスペクトル帯域、それぞれに異なる無線アクセス技術による用途に利用することができるRFスペクトル帯域、あるいは複数の事業者による用途に関して平等に共有するかまたは優先順位に従って利用することができるRFスペクトル帯域)を含んでもよい。
【０１０５】
UEトランシーバ1130は、パケットを変調し、変調されたパケットを送信のためにUEアンテナ1140に与え、UEアンテナ1140から受信されたパケットを復調するように構成されたモデムを含んでもよい。UEトランシーバ1130は、いくつかの例では、1つまたは複数のUEトランスミッタおよび1つまたは複数の別々のUEレシーバとして実装されてもよい。UEトランシーバ1130は、専用RFスペクトル帯域における通信をサポートしてもよく、あるいは共有RFスペクトル帯域における通信をサポートしてもよい。UEトランシーバ1130は、図1、図2、図4、図5、または図10を参照しながら説明した基地局105、205、405、505、または1005のうちの1つまたは複数、あるいは図6または図7を参照しながら説明した装置605または705のうちの1つまたは複数の態様と、UEアンテナ1140を介して双方向に通信するように構成されてもよい。UE1115は単一のUEアンテナを含んでもよいが、UE1115が複数のUEアンテナ1140を含む場合がある例があってもよい。
【０１０６】
UEワイヤレス通信マネージャ1150は、専用RFスペクトル帯域または共有RFスペクトル帯域を介したワイヤレス通信に関する、図1、図2、図3、図4、図5、図8、または図9を参照しながら説明したUEまたは装置の技法または機能の一部またはすべてを、実行または制御するように構成されてもよい。たとえば、UEワイヤレス通信マネージャ1150は、アップリンク送信およびダウンリンク送信用のCCに関する構成情報、SRS構成情報を受信するように構成されてもよく、専用RFスペクトル帯域または共有RFスペクトル帯域を使用するUE1115からのSRS送信を管理してもよい。UEワイヤレス通信マネージャ1150は、専用RFスペクトル帯域におけるLTE/LTE-A通信を扱うように構成される専用RFスペクトル帯域用のUE LTE/LTE-A構成要素1155と、共有RFスペクトル帯域におけるLTE/LTE-A通信を扱うように構成される共有RFスペクトル帯域用のUE LTE/LTE-A構成要素1160とを含んでもよい。UEワイヤレス通信マネージャ1150、またはその一部がプロセッサを含むことがあり、あるいはUEワイヤレス通信マネージャ1150の機能の一部またはすべてが、UEプロセッサ1110によって実行されることがあり、あるいはUEプロセッサ1110と連携して実行されることがある。いくつかの例では、UEワイヤレス通信マネージャ1150は、図8または図9を参照しながら説明したUEワイヤレス通信マネージャ820または920の例であってもよい。
【０１０７】
図12は、本開示の様々な態様による、ワイヤレス通信のための方法1200の例を示すフローチャートである。明快にするために、方法1200については、図1、図2、図4、図5、または図11を参照しながら説明したUE115、215、415、515、または1115のうちの1つまたは複数の態様、あるいは図8または図9を参照しながら説明した装置815または915のうちの1つまたは複数の態様に関して以下において説明する。いくつかの例では、ワイヤレスデバイス(いくつかの例では、図1、図2、図4、図5、図8、図9、または図11を参照しながら説明したUEまたは装置の態様を含んでもよい)は、後述の機能を実行するようにワイヤレスデバイスの機能要素を制御するためのコードの1つまたは複数のセットを実行してもよい。追加的または代替的に、ワイヤレスデバイスは、専用ハードウェアを使用して、以下に説明する機能のうちの1つまたは複数を実行してもよい。
【０１０８】
方法1200は、ブロック1205において、ワイヤレス通信ネットワークにおいて2つ以上のUL CCを使用するワイヤレス通信を確立することを含んでもよく、2つ以上のUL CCのうちの少なくとも1つは、共有RFスペクトル帯域を使用する。ブロック1205における動作は、図8、図9、または図11を参照しながら説明したUEワイヤレス通信マネージャ820もしくは920、またはUEワイヤレス通信マネージャ1150、あるいは図8または図9を参照しながら説明したコンポーネントキャリアマネージャ835もしくは935を使用して実行されてもよい。
【０１０９】
方法1200は、ブロック1210において、2つ以上のUL CCの各々が同じタイミングアドバンスグループ(TAG)に含まれるように構成されることを確認することを含んでもよい。ブロック1210における動作は、図8、図9、または図11を参照しながら説明したUEワイヤレス通信マネージャ820もしくは920、またはUEワイヤレス通信マネージャ1150、あるいは図8または図9を参照しながら説明したタイミングアドバンスグループマネージャ840もしくは940を使用して実行されてもよい。
【０１１０】
方法1200は、ブロック1215において、SRSが2つ以上のUL CCのうちの第1のUL CCを使用して第1のシンボルにおいて送信されるべきであることを確認することを含んでもよい。ブロック1215における動作は、図8、図9、または図11を参照しながら説明したUEワイヤレス通信マネージャ820もしくは920、またはUEワイヤレス通信マネージャ1150、あるいは図8または図9を参照しながら説明したSRSマネージャ845もしくは945を使用して実行されてもよい。
【０１１１】
方法1200は、ブロック1220において、PUSCH送信またはPUCCH送信のうちの1つまたは複数が2つ以上のUL CCのうちの第2のUL CCを使用して第1のシンボルにおいて送信されるべきであると判定することを含んでもよい。ブロック1220における動作は、図8、図9、または図11を参照しながら説明したUEワイヤレス通信マネージャ820もしくは920、またはUEワイヤレス通信マネージャ1150、あるいは図8または図9を参照しながら説明したSRSマネージャ845もしくは945を使用して実行されてもよい。
【０１１２】
方法1200は、任意のブロック1225において、専用RFスペクトル帯域を介してCCを使用するSRS用のチャネル優先順位とは異なるチャネル優先順位を設定することを含んでもよい。ブロック1225における動作は、図8、図9、または図11を参照しながら説明したUEワイヤレス通信マネージャ820もしくは920、またはUEワイヤレス通信マネージャ1150、あるいは図9を参照しながら説明したチャネル優先順位マネージャ965を使用して実行されてもよい。
【０１１３】
方法1200は、ブロック1230において、SRSを第1のシンボルの周波数帯域幅にわたるようにフォーマッティングすることを含んでもよい。ブロック1230における動作は、図8、図9、または図11を参照しながら説明したUEワイヤレス通信マネージャ820もしくは920、またはUEワイヤレス通信マネージャ1150、あるいは図8または図9を参照しながら説明したSRSマネージャ845もしくは945を使用して実行されてもよい。
【０１１４】
方法1200は、任意のブロック1235において、PUSCH/PUCCH送信向けに構成されたUL CCのセットに含まれない第1のUL CCを使用する送信向けにSRSを設定することを含んでもよい。ブロック1235における動作は、図8、図9、または図11を参照しながら説明したUEワイヤレス通信マネージャ820もしくは920、またはUEワイヤレス通信マネージャ1150、あるいは図9を参照しながら説明したUL SRS CCマネージャ960を使用して実行されてもよい。
【０１１５】
方法1200は、ブロック1240において、第1のUL CCを使用するSRSおよび第2のUL CCを使用するPUSCHまたはPUCCHのうちの1つまたは複数を第1のシンボルにおいて送信することを含んでもよい。ブロック1240における動作は、図8、図9、または図11を参照しながら説明した、トランスミッタ830もしくは930またはUEトランシーバ1130と連携するUEワイヤレス通信マネージャ820もしくは920またはUEワイヤレス通信マネージャ1150、あるいは図8または図9を参照しながら説明したトランスミッタ830もしくは930と連携するSRSマネージャ845もしくは945を使用して実行されてもよい。
【０１１６】
したがって、方法1200はワイヤレス通信を実現する場合がある。方法1200は、一実装形態にすぎず、方法1200の動作は、他の実装形態が可能であるように並べ替えられてもよく、あるいは場合によっては変更されてもよいことに留意されたい。
【０１１７】
図13は、本開示の様々な態様による、ワイヤレス通信のための方法1300の例を示すフローチャートである。明快にするために、方法1300については、図1、図2、図4、図5、または図11を参照しながら説明したUE115、215、415、515、または1115のうちの1つまたは複数の態様、あるいは図8または図9を参照しながら説明した装置815または915のうちの1つまたは複数の態様に関して以下において説明する。いくつかの例では、ワイヤレスデバイス(いくつかの例では、図1、図2、図4、図5、図8、図9、または図11を参照しながら説明したUEまたは装置の態様を含んでもよい)は、後述の機能を実行するようにワイヤレスデバイスの機能要素を制御するためのコードの1つまたは複数のセットを実行してもよい。追加的または代替的に、ワイヤレスデバイスは、専用ハードウェアを使用して、以下に説明する機能のうちの1つまたは複数を実行してもよい。
【０１１８】
方法1300は、ブロック1305において、ワイヤレス通信ネットワークにおいて2つ以上のUL CCを使用するワイヤレス通信を確立することを含んでもよく、2つ以上のUL CCのうちの少なくとも1つは、共有RFスペクトル帯域を使用する。ブロック1305における動作は、図8、図9、または図11を参照しながら説明したUEワイヤレス通信マネージャ820もしくは920、またはUEワイヤレス通信マネージャ1150、あるいは図8または図9を参照しながら説明したコンポーネントキャリアマネージャ835もしくは935を使用して実行されてもよい。
【０１１９】
方法1300は、ブロック1310において、2つ以上のUL CCの各々が同じタイミングアドバンスグループ(TAG)に含まれるように構成されることを確認することを含んでもよい。ブロック1310における動作は、図8、図9、または図11を参照しながら説明したUEワイヤレス通信マネージャ820もしくは920、またはUEワイヤレス通信マネージャ1150、あるいは図8または図9を参照しながら説明したタイミングアドバンスグループマネージャ840もしくは940を使用して実行されてもよい。
【０１２０】
方法1300は、ブロック1315において、SRSが2つ以上のUL CCのうちの第1のUL CCを使用して第1のシンボルにおいて送信されるべきであることを確認することを含んでもよい。ブロック1315における動作は、図8、図9、または図11を参照しながら説明したUEワイヤレス通信マネージャ820もしくは920、またはUEワイヤレス通信マネージャ1150、あるいは図8または図9を参照しながら説明したSRSマネージャ845もしくは945を使用して実行されてもよい。
【０１２１】
方法1300は、ブロック1320において、PUSCH送信またはPUCCH送信のうちの1つまたは複数が2つ以上のUL CCのうちの第2のUL CCを使用して第1のシンボルにおいて送信されるべきであると判定することを含んでもよい。ブロック1320における動作は、図8、図9、または図11を参照しながら説明したUEワイヤレス通信マネージャ820もしくは920、またはUEワイヤレス通信マネージャ1150、あるいは図8または図9を参照しながら説明したSRSマネージャ845もしくは945を使用して実行されてもよい。
【０１２２】
方法1300は、ブロック1325において、第1のシンボルの間の送信が電力の制限を受けるか否かを判定することを含んでもよい。ブロック1320における動作は、図8、図9、または図11を参照しながら説明したUEワイヤレス通信マネージャ820もしくは920、またはUEワイヤレス通信マネージャ1150、あるいは図9を参照しながら説明した送信電力マネージャ950を使用して実行されてもよい。
【０１２３】
この方法は、送信が電力の制限を受けないと判定された場合、ブロック1330において、通常の電力レベル設定に従ってSRS送信電力を設定することを含んでもよい。ブロック1330における動作は、図8、図9、または図11を参照しながら説明したUEワイヤレス通信マネージャ820もしくは920、またはUEワイヤレス通信マネージャ1150、あるいは図9を参照しながら説明した送信電力マネージャ950を使用して実行されてもよい。
【０１２４】
この方法は、送信が電力の制限を受けると判定された場合、ブロック1335において、場合によっては、設定された最小電力レベルに基づいてSRS送信電力を設定することを含んでもよい。ブロック1335における動作は、図8、図9、または図11を参照しながら説明したUEワイヤレス通信マネージャ820もしくは920、またはUEワイヤレス通信マネージャ1150、あるいは図9を参照しながら説明した送信電力マネージャ950を使用して実行されてもよい。
【０１２５】
この方法は、送信が電力の制限を受けると判定された場合、ブロック1340において、場合によっては、SRS送信を破棄することを含んでもよい。ブロック1340における動作は、図8、図9、または図11を参照しながら説明したUEワイヤレス通信マネージャ820もしくは920、またはUEワイヤレス通信マネージャ1150、あるいは図9を参照しながら説明した送信電力マネージャ950を使用して実行されてもよい。
【０１２６】
したがって、方法1300はワイヤレス通信を実現する場合がある。方法1300は、一実装形態にすぎず、方法1300の動作は、他の実装形態が可能であるように並べ替えられてもよく、あるいは場合によっては変更されてもよいことに留意されたい。
【０１２７】
図14は、本開示の様々な態様による、ワイヤレス通信のための方法1400の一例を示すフローチャートである。明快にするために、方法1400については、図1、図2、図4、図5、または図10を参照しながら説明した基地局105、205、405、505、または1005のうちの1つまたは複数の態様、あるいは図6または図7を参照しながら説明した装置605または705のうちの1つまたは複数の態様に関して以下で説明する。いくつかの例では、ワイヤレスデバイス(いくつかの例では、図1、図2、図4、図5、図6、図7、または図10を参照しながら説明した基地局または装置の態様を含んでもよい)は、後述の機能を実行するようにワイヤレスデバイスの機能要素を制御するためのコードの1つまたは複数のセットを実行してもよい。追加的または代替的に、ワイヤレスデバイスは、専用ハードウェアを使用して、以下に説明する機能のうちの1つまたは複数を実行してもよい。
【０１２８】
方法1400は、ブロック1405において、ワイヤレス通信ネットワークにおいて2つ以上のUL CCを使用するUEにおけるワイヤレス通信を構成することを含んでもよく、2つ以上のUL CCのうちの少なくとも1つは、共有RFスペクトル帯域を使用する。ブロック1405における動作は、図6、図7、または図10を参照しながら説明した基地局ワイヤレス通信マネージャ620もしくは720、または基地局ワイヤレス通信マネージャ1060、あるいは図6または図7を参照しながら説明したコンポーネントキャリアマネージャ635もしくは735を使用して実行されてもよい。
【０１２９】
方法1400は、ブロック1410において、2つ以上のUL CCの各々を同じTAGに含まれるように構成することを含んでもよい。ブロック1410における動作は、図6、図7、または図10を参照しながら説明した基地局ワイヤレス通信マネージャ620もしくは720、または基地局ワイヤレス通信マネージャ1060、あるいは図6または図7を参照しながら説明したタイミングアドバンスグループマネージャ640もしくは740を使用して実行されてもよい。
【０１３０】
方法1400は、任意のブロック1415において、2つ以上のUL CCを使用する第1のシンボルの間のSRS送信が電力の制限を受けるときに使用すべき最小送信電力レベルに基づいてSRS送信を構成することを含んでもよい。ブロック1415における動作は、図6、図7、または図10を参照しながら説明した基地局ワイヤレス通信マネージャ620もしくは720、または基地局ワイヤレス通信マネージャ1060、あるいは図7を参照しながら説明した送信電力マネージャ755を使用して実行されてもよい。
【０１３１】
方法1400は、任意のブロック1420において、専用RFスペクトル帯域を介して送信されるべき第2のCCを送信するためのチャネル優先順位とは異なるチャネル優先順位を使用して共有RFスペクトル帯域を介して送信されるように第1のUL CCを構成することを含んでもよい。ブロック1420における動作は、図6、図7、または図10を参照しながら説明した基地局ワイヤレス通信マネージャ620もしくは720、または基地局ワイヤレス通信マネージャ1060、あるいは図7を参照しながら説明したチャネル優先順位構成マネージャ765を使用して実行されてもよい。
【０１３２】
方法1400は、任意のブロック1425において、SRSを第1のシンボルの周波数帯域幅にわたるようにフォーマッティングすることを含んでもよい。ブロック1425における動作は、図6、図7、または図10を参照しながら説明した基地局ワイヤレス通信マネージャ620もしくは720、または基地局ワイヤレス通信マネージャ1060、あるいは図7を参照しながら説明した周波数リソースマネージャ760を使用して実行されてもよい。
【０１３３】
方法1400は、ブロック1430において、2つ以上のUL CCのうちの第2のUL CCを使用する第1のシンボルの間のPUSCH送信またはPUCCH送信のうちの1つまたは複数と同時に、2つ以上のUL CCのうちの第1のUL CCを使用して第1のシンボルにおいて送信されるようにSRSを構成することを含んでもよい。ブロック1430における動作は、図6、図7、または図10を参照しながら説明した基地局ワイヤレス通信マネージャ620もしくは720、または基地局ワイヤレス通信マネージャ1060、あるいは図6または図7を参照しながら説明した構成情報マネージャ645もしくは745を使用して実行されてもよい。
【０１３４】
したがって、方法1400はワイヤレス通信を実現する場合がある。方法1400は、一実装形態にすぎず、方法1400の動作は、他の実装形態が可能であるように並べ替えられてもよく、あるいは場合によっては変更されてもよいことに留意されたい。
【０１３５】
いくつかの例では、図12、図13、または図14を参照しながら説明した方法1200、1300、または1400の態様が組み合わされてもよい。方法1200、1300、および1400は例示的な実装形態にすぎず、方法1200、1300、および1400の動作は、他の実装形態が可能であるように並べ替えられてもよく、あるいは場合によっては変更されてもよいことに留意されたい。
【０１３６】
本明細書で説明した技法は、CDMA、TDMA、FDMA、OFDMA、SC-FDMA、および他のシステムなどの様々なワイヤレス通信システムのために使用されてもよい。「システム」および「ネットワーク」という用語は、しばしば、互換的に使用される。CDMAシステムは、CDMA2000、ユニバーサル地上波無線アクセス(UTRA)などの無線技術を実装してもよい。CDMA2000は、IS-2000、IS-95、およびIS-856規格をカバーする。IS-2000のリリース0およびAは、CDMA2000 1X、1Xなどと呼ばれる場合がある。IS-856(TIA-856)は、CDMA2000 1xEV-DO、高速パケットデータ(HRPD)などと呼ばれる場合がある。UTRAは、広帯域CDMA(WCDMA(登録商標))およびCDMAの他の変形を含む。TDMAシステムは、モバイル通信用グローバルシステム(GSM(登録商標))などの無線技術を実装してもよい。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装してもよい。UTRAおよびE-UTRAは、ユニバーサルモバイルテレコミュニケーションシステム(UMTS)の一部である。3GPP LTEおよびLTE-Aは、E-UTRAを使用するUMTSの新たなリリースである。UTRA、E-UTRA、UMTS、LTE、LTE-A、およびGSM(登録商標)は、3GPPと称する組織からの文書に記載されている。CDMA2000およびUMBは、「第3世代パートナーシッププロジェクト2」(3GPP2)と称する組織からの文書に記載されている。本明細書において説明した技法は、免許不要帯域幅または共有帯域幅を介したセルラー(たとえば、LTE)通信を含む、上述のシステムおよび無線技術、ならびに他のシステムおよび無線技術のために使用されてもよい。しかしながら、上の説明は、例としてLTE/LTE-Aシステムについて説明しており、上の説明の大部分においてLTE用語が使用されているが、本技法はLTE/LTE-A適用例以外に適用可能である。
【０１３７】
添付の図面に関して上に記載された発明を実施するための形態は、例について説明しており、実装される場合がある例、または特許請求の範囲内にある例のすべてを表すものではない。この説明で使用される「例」および「例示的」という用語は、「例、事例、もしくは例示として機能すること」を意味し、「好ましい」または「他の例よりも有利である」ことを意味しない。発明を実施するための形態は、説明した技法の理解を可能にする目的で、具体的な詳細を含む。しかしながら、これらの技法は、これらの具体的な詳細を伴うことなく実践されることがある。いくつかの事例では、説明した例の概念を不明瞭にすることを回避するために、よく知られている構造および装置はブロック図の形態で示されている。
【０１３８】
情報および信号は、様々な異なる技術および技法のうちのいずれかを使用して表されてもよい。たとえば、上記の説明全体にわたって参照される場合があるデータ、命令、コマンド、情報、信号、ビット、シンボル、およびチップは、電圧、電流、電磁波、磁場または磁気粒子、光場または光粒子、あるいはそれらの任意の組合せによって表されてもよい。
【０１３９】
本明細書の開示に関して説明した様々な例示的なブロックおよび構成要素は、汎用プロセッサ、デジタル信号プロセッサ(DSP)、ASIC、FPGAもしくは他のプログラマブル論理デバイス、個別ゲートもしくトランジスタ論理、個別ハードウェア構成要素、または本明細書で説明した機能を実行するように設計されたそれらの任意の組合せを用いて実装または実行されてもよい。汎用プロセッサはマイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実装されてもよい。
【０１４０】
本明細書で説明する機能は、ハードウェア、プロセッサによって実行されるソフトウェア、ファームウェア、またはそれらの組合せとして実装されてもよい。プロセッサによって実行されるソフトウェアにおいて実装される場合、機能は、1つまたは複数の命令またはコードとしてコンピュータ可読媒体上に記憶されることがあり、またはコンピュータ可読媒体を介して送信されることがある。他の例および実装形態が、本開示および添付の特許請求の範囲および趣旨内にある。たとえば、ソフトウェアの性質に起因して、上記で説明した機能は、プロセッサによって実行されるソフトウェア、ハードウェア、ファームウェア、ハードワイヤリング、またはそれらのいずれかの組合せを用いて実装することができる。機能を実装する構成要素はまた、異なる物理的位置に機能の部分が実装されるように分散されることを含めて、様々な位置に物理的に配置されてもよい。「または」という用語が、特許請求の範囲を含めて本明細書で使用される場合、2つ以上の項目の列挙において使用されるとき、列挙される項目のうちのいずれか1つを単独で使用できること、または列挙される項目のうちの2つ以上からなる任意の組合せを使用できることを意味する。たとえば、構成が、構成要素A、B、またはCを含むものとして説明される場合、その構成は、Aのみ、Bのみ、Cのみ、AとBの組合せ、AとCの組合せ、BとCの組合せ、またはA、B、およびCの組合せを含む場合がある。また、項目の列挙(たとえば、「のうちの少なくとも1つ」または「のうちの1つまたは複数」などの句で終わる項目の列挙)中で使用される「または」が、特許請求の範囲を含めて、本明細書で使用される場合、たとえば、項目の列挙「のうちの少なくとも1つ」を指す句が単一のメンバーを含むそれらの項目の任意の組合せを指すような選言的列挙を示す。一例として、「A、B、またはCのうちの少なくとも1つ」は、A、B、C、A-B、A-C、B-C、およびA-B-C、ならびに複数の同じ要素を含む任意の組合せ(たとえば、A-A、A-A-A、A-A-B、A-A-C、A-B-B、A-C-C、B-B、B-B-B、B-B-C、C-C、およびC-C-C、またはA、B、およびCの任意の他の配列)を包含することが意図される。
【０１４１】
本明細書で使用する、「に基づいて」という句は、条件の閉集合を指すものと解釈されるものではない。たとえば、「条件Aに基づいて」と記載される例示的なステップは、本開示の範囲から逸脱することなく、条件Aと条件Bの両方に基づいてよい。言い換えると、本明細書で使用する、「に基づいて」という句は、「に少なくとも部分的に基づいて」という句と同じように解釈されるものである。
【０１４２】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスすることができる任意の利用可能な媒体であってもよい。限定ではなく例として、非一時的コンピュータ可読媒体は、RAM、ROM、EEPROM、フラッシュメモリ、CD-ROMまたは他の光ディスクストレージ、磁気ディスクストレージまたは他の磁気ストレージデバイス、あるいは命令またはデータ構造の形態の所望のプログラムコード手段を搬送または記憶するために使用できるとともに、汎用もしくは専用コンピュータまたは汎用もしくは専用プロセッサによってアクセスすることができる任意の他の非一時的媒体を備えることができる。また、任意の接続が、適正にコンピュータ可読媒体と呼ばれる。たとえば、ソフトウェアが、同軸ケーブル、光ファイバーケーブル、ツイストペア、デジタル加入者線(「DSL」)、または、赤外線、無線、およびマイクロ波などのワイヤレス技術を使用してウェブサイト、サーバ、または他の遠隔ソースから送信される場合、同軸ケーブル、光ファイバーケーブル、ツイストペア、DSL、または、赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記のものの組合せもコンピュータ可読媒体の範囲内に含まれる。
【０１４３】
本開示についての以上の説明は、当業者が本開示を作成または使用することができるように与えられる。本開示の様々な変更は当業者には容易に明らかとなり、本明細書で定義される一般原理は、本開示の範囲から逸脱することなく他の変形形態に適用されてもよい。したがって、本開示は、本明細書において説明される実施例および設計に限定されるものではなく、本明細書において開示される原理および新規な技法と一致する最も広い範囲が与えられるべきである。
【符号の説明】
【０１４４】
100  ワイヤレス通信システム
105  基地局
110  地理的カバレージエリア
115  UE
125  通信リンク
130  コアネットワーク
132  バックホールリンク
134  バックホールリンク
200  ワイヤレス通信システム
205  基地局
215  UE
220  第1のCC
225  第2のCC
230  CC
300  例
305  第1のCC
310  第2のCC
315  SRS、SRS送信
320  PUCCH/PUSCH送信
325  アップリンクシンボル
400  ワイヤレス通信システム
405  基地局
415  UE
420  ダウンリンクCC
420-a  第1のダウンリンクCC
420-b  第2のダウンリンクCC
420-c  第3のダウンリンクCC
425  アップリンクCC
425a  第1のアップリンクCC
425b  第2のアップリンクCC
500  メッセージフロー
505  基地局
515  UE
535  構成情報
600  ブロック図
605  装置
610  レシーバ
612  専用RFスペクトル帯域用のLTE/LTE-Aレシーバ
614  共有RFスペクトル帯域用のLTE/LTE-Aレシーバ
620  基地局ワイヤレス通信マネージャ
630  トランスミッタ
632  専用RFスペクトル帯域用のLTE/LTE-Aトランスミッタ
634  共有RFスペクトル帯域用のLTE/LTE-Aトランスミッタ
635  コンポーネントキャリアマネージャ
640  タイミングアドバンスグループマネージャ
645  構成情報マネージャ
700  ブロック図
705  装置
710  レシーバ
712  専用RFスペクトル帯域用のLTE/LTE-Aレシーバ
714  共有RFスペクトル帯域用のLTE/LTE-Aレシーバ
720  基地局ワイヤレス通信マネージャ
730  トランスミッタ
732  専用RFスペクトル帯域用のLTE/LTE-Aトランスミッタ
734  共有RFスペクトル帯域用のLTE/LTE-Aトランスミッタ
735  コンポーネントキャリアマネージャ
740  タイミングアドバンスグループマネージャ
745  構成情報マネージャ
750  UL/DLコンポーネントキャリアマネージャ
755  送信電力マネージャ
760  周波数リソースマネージャ
765  任意のチャネル優先順位構成マネージャ
800  ブロック図
810  レシーバ
812  専用RFスペクトル帯域用のLTE/LTE-Aレシーバ
814  共有RFスペクトル帯域用のLTE/LTE-Aレシーバ
815  装置
820  UEワイヤレス通信マネージャ
830  トランスミッタ
832  専用RFスペクトル帯域用のLTE/LTE-Aトランスミッタ
834  共有RFスペクトル帯域用のLTE/LTE-Aトランスミッタ
835  コンポーネントキャリアマネージャ
840  タイミングアドバンスグループマネージャ
845  SRSマネージャ
900  ブロック図
910  レシーバ
912  専用RFスペクトル帯域用のLTE/LTE-Aレシーバ
914  共有RFスペクトル帯域用のLTE/LTE-Aレシーバ
915  装置
920  UEワイヤレス通信マネージャ
930  トランスミッタ
932  専用RFスペクトル帯域用のLTE/LTE-Aトランスミッタ
934  共有RFスペクトル帯域用のLTE/LTE-Aトランスミッタ
935  コンポーネントキャリアマネージャ
940  タイミングアドバンスグループマネージャ
945  SRSマネージャ
950  送信電力マネージャ
955  周波数リソースマネージャ
960  UL SRS CCマネージャ
965  任意のチャネル優先順位マネージャ
1000  ブロック図
1005  基地局
1005-a  基地局
1005-b  基地局
1010  基地局プロセッサ
1020  基地局メモリ
1025  コンピュータ実行可能コード
1030  基地局通信器
1035  バス
1040  ネットワーク通信器
1045  コアネットワーク
1050  基地局トランシーバ
1055  基地局アンテナ
1060  基地局ワイヤレス通信マネージャ
1065  専用RFスペクトル帯域用の基地局LTE/LTE-A構成要素
1070  共有RFスペクトル帯域用の基地局LTE/LTE-A構成要素
1100  ブロック図
1110  UEプロセッサ
1115  UE
1120  UEメモリ
1125  コンピュータ実行可能コード
1130  UEトランシーバ
1135    バス
1140  UEアンテナ
1150  UEワイヤレス通信マネージャ
1155  専用RFスペクトル帯域用のUE LTE/LTE-A構成要素
1160  共有RFスペクトル帯域用のUE LTE/LTE-A構成要素
1200  方法
1300  方法
1400  方法
【図１】
2019500789.tif 000003
【図２】
2019500789.tif 000004
【図３】
2019500789.tif 000005
【図４】
2019500789.tif 000006
【図５】
2019500789.tif 000007
【図６】
2019500789.tif 000008
【図７】
2019500789.tif 000009
【図８】
2019500789.tif 000010
【図９】
2019500789.tif 000011
【図１０】
2019500789.tif 000012
【図１１】
2019500789.tif 000013
【図１２】
2019500789.tif 000014
【図１３】
2019500789.tif 000015
【図１４】
2019500789.tif 000016
【国際調査報告】
2019500789.tif 000017
2019500789.tif 000018
2019500789.tif 000019